(57)【特許請求の範囲】
【請求項１】
他の装置と通話用に通信する通信装置であって、
一方向よりも当該一方向と直交する他方向に長く形成された表面をタッチして命令を入力するために用いられ、通話モード時、上記表面の上記他方向に沿った他端寄りの少なくとも一部を命令入力用の命令入力領域とし、所定箇所を命令入力領域外として、上記表面の上記所定箇所がタッチされると、当該所定箇所のタッチ位置を検出するためのタッチ位置検出用データを出力し、上記表面の上記所定箇所がタッチされている間に他の箇所がタッチされても、当該他の箇所のタッチ位置を検出するためのタッチ位置検出用データを出力しないタッチパネルと、
上記タッチパネルの上記表面の上記他方向に沿った一端よりも外側で、当該一端の近傍に配置されたスピーカと、
上記タッチパネルの上記表面の上記他方向に沿った上記他端よりも外側で、当該他端の近傍に配置されたマイクロホンと
を具える通信装置。
【請求項２】
上記タッチパネルは、
上記表面の上記他方向に沿った上記一端が円弧状に形成され、
上記スピーカは、
上記タッチパネルの円弧状の上記一端の頂点近傍に配置された
請求項１に記載の通信装置。
【請求項３】
上記通話モード時、上記タッチパネルの上記表面の上記命令入力領域内に対する上記タッチに応じて入力可能な上記命令を示す表示子を表示面に表示する表示部
を具え、
上記タッチパネルは、
上記表示部の上記表示面上に配置され、上記通話モード時、上記表示部の上記表示面に表示された上記表示子と対向する領域を上記命令入力領域とする
請求項２に記載の通信装置。
【請求項４】
上記表示部は、
上記通話モード時、上記表示面に対し、入力可能な上記命令を示す上記表示子として、上記通話を終了させる終話命令を示す終話表示子と、上記マイクロホンによる集音を一時的に停止させる集音一時停止命令を示す集音一時停止表示子と、上記通話を保留する保留命令を示す保留表示子との少なくとも１つを表示する
請求項３に記載の通信装置。
【請求項５】
一方向よりも当該一方向と直交する他方向に長く形成された表面をタッチして命令を入力するために用いられるタッチパネルの上記表面の上記他方向に沿った一端よりも外側で、当該一端の近傍にスピーカが配置されると共に、上記タッチパネルの上記表面の上記他方向に沿った他端よりも外側で、当該他端の近傍にマイクロホンが配置され、他の装置と通話用に通信する通信装置の入力制御方法であって、
通話モード時、上記タッチパネルの上記表面の上記他方向に沿った上記他端寄りの少なくとも一部を命令入力用の命令入力領域とし、所定箇所を命令入力領域外として、上記表面の上記所定箇所がタッチされると、当該所定箇所のタッチ位置を検出するためのタッチ位置検出用データを出力し、上記表面の上記所定箇所がタッチされている間に他の箇所がタッチされても、当該他の箇所のタッチ位置を検出するためのタッチ位置検出用データを出力しない入力制御ステップ
を具える入力制御方法。
【請求項６】
一方向よりも当該一方向と直交する他方向に長く形成された表面をタッチして命令を入力するために用いられるタッチパネルの上記表面の上記他方向に沿った一端よりも外側で、当該一端の近傍にスピーカが配置されると共に、上記タッチパネルの上記表面の上記他方向に沿った他端よりも外側で、当該他端の近傍にマイクロホンが配置され、他の装置と通話用に通信する情報処理装置に対し、
通話モード時、上記タッチパネルの上記表面の上記他方向に沿った上記他端寄りの少なくとも一部を命令入力用の命令入力領域とし、所定箇所を命令入力領域外として、上記表面の上記所定箇所がタッチされると、当該所定箇所のタッチ位置を検出するためのタッチ位置検出用データを出力し、上記表面の上記所定箇所がタッチされている間に他の箇所がタッチされても、当該他の箇所のタッチ位置を検出するためのタッチ位置検出用データを出力しない入力制御ステップ
を実行させるための入力制御プログラム。
【発明の詳細な説明】
【技術分野】
【０００１】
本発明は通信装置、入力制御方法及び入力制御プログラムに関し、例えば通話用の通信機能を有する携帯型の情報通信端末に適用して好適なものである。
【背景技術】
【０００２】
従来の携帯無線通信端末は、端末本体の一面にディスプレイが設けられると共に、当該ディスプレイの表面にタッチパネルが貼付されている。
【０００３】
また携帯無線通信端末は、端末本体に対し、一面のディスプレイを外部に開放し、また外部から隠蔽可能なようにカバーパネルが開閉可能に設けられている。
【０００４】
そして携帯無線通信端末は、端末本体に対しカバーパネルが開かれると電子メールやファクシミリのデータ通信機能を実現するデータ通信モードになり、ディスプレイに対し当該データ通信機能を実現するための種々の命令を示す表示子を表示する。
【０００５】
これにより携帯無線通信端末は、データ通信モード時、タッチパネルにおいてディスプレイの表示子と対向する領域内をタッチさせて、その表示子が示す命令を入力させ、当該入力された命令に応じてデータ通信機能を実現していた。
【０００６】
また携帯無線通信端末は、カバーパネルの表側にマイクロホン及びスピーカが設けられると共に、通話機能を実現するための種々の命令を入力可能な複数のキーが配置されている。
【０００７】
そして携帯無線通信端末は、端末本体に対しカバーパネルが閉じられると通話機能を実現する通話モードになり、タッチパネルに換えてカバーパネルの表側のキーを介して命令を入力させるようにする。
【０００８】
これにより携帯無線通信端末は、通話モード時、カバーパネルの表側の種々のキーを押下させて命令を入力させ、当該入力された命令に応じて通話機能を実現していた（例えば、特許文献１参照）。
【特許文献１】特開平１１−４６３８３号公報
【発明の開示】
【発明が解決しようとする課題】
【０００９】
ところで、かかる構成の携帯無線通信端末では、データ通信機能と通話機能とを実現するための命令を入力する入力部を、ディスプレイ上のタッチパネルと、カバーパネルの表側の複数のキーとに分散させている。
【００１０】
そして携帯無線通信端末は、端末本体に対しカバーパネルを開閉してモードを切り換えることで、タッチパネルとキーとのいずれか一方を命令の入力に利用可能にしていた。
【００１１】
ただし、かかる携帯無線通信端末では、例えば、端末本体に対しカバーパネルを開いている状態で通話機能を実現する場合、その端末本体に対しカバーパネルを閉じなければならず、操作が煩雑化する。
【００１２】
このため、最近では、カバーパネルを設けずに、通話モード時には、ディスプレイに通話機能を実現するための種々の命令を示す表示子を表示してタッチパネルをタッチさせることにより、その表示子が示す命令を入力させて通話機能を実現させるような携帯無線通信端末が提案されている。
【００１３】
ところが、このようにカバーパネルを設けない携帯無線通信端末では、通話モード時、着信に応じてディスプレイの表面を手のひらで覆うように端末本体がユーザによって持たれたときや、通話のためにディスプレイの表面がユーザの顔に近づけられたときに、タッチパネルが手のひらや顔のほお等でタッチされ、意図しない命令が入力される場合がある。
【００１４】
すなわち、このようにカバーパネルを設けない携帯無線通信端末では、通話モード時にタッチパネルがユーザの手のひらや顔のほお等でタッチされ、誤操作を回避し難いと言う問題があった。
【００１５】
本発明は以上の点を考慮してなされたもので、通話モード時に誤操作を回避し得る通信装置、入力制御方法及び入力制御プログラムを提案しようとするものである。
【課題を解決するための手段】
【００１６】
かかる課題を解決するため本発明においては、他の装置と通話用に通信する通信装置において、一方向よりも当該一方向と直交する他方向に長く形成された表面をタッチして命令を入力するために用いられ、通話モード時、表面の他方向に沿った他端寄りの少なくとも一部を命令入力用の命令入力領域とし、所定箇所を命令入力領域外として、表面の所定箇所がタッチされると、当該所定箇所のタッチ位置を検出するためのタッチ位置検出用データを出力し、表面の所定箇所がタッチされている間に他の箇所がタッチされても、当該他の箇所のタッチ位置を検出するためのタッチ位置検出用データを出力しないタッチパネルと、タッチパネルの表面の他方向に沿った一端よりも外側で、当該一端の近傍に配置されたスピーカと、タッチパネルの表面の他方向に沿った他端よりも外側で、当該他端の近傍に配置されたマイクロホンとを設けるようにした。
【００１７】
従って本発明では、通話モード時、着信に応じてタッチパネルの表面を手のひらで覆うようにして通信装置がユーザによって持たれたときや、通話のためにタッチパネルの表面がユーザの顔に近づけられたときに、タッチパネルの命令入力領域外をユーザの手のひらの一部や、耳の一部及びその周辺によってタッチさせることができ、その結果、タッチパネルの命令入力領域外がユーザの手のひらの一部や、耳の一部及びその周辺によってタッチされている間は、そのタッチパネルの命令入力領域内が手のひら他の一部や、顔のほお等でタッチされても、意図しない命令が入力されることを回避することができる。
【発明の効果】
【００２０】
本発明によれば、他の装置と通話用に通信する通信装置において、一方向よりも当該一方向と直交する他方向に長く形成された表面をタッチして命令を入力するために用いられ、通話モード時、表面の他方向に沿った他端寄りの少なくとも一部を命令入力用の命令入力領域とし、所定箇所を命令入力領域外として、表面の所定箇所がタッチされると、当該所定箇所のタッチ位置を検出するためのタッチ位置検出用データを出力し、表面の所定箇所がタッチされている間に他の箇所がタッチされても、当該他の箇所のタッチ位置を検出するためのタッチ位置検出用データを出力しないタッチパネルと、タッチパネルの表面の他方向に沿った一端よりも外側で、当該一端の近傍に配置されたスピーカと、タッチパネルの表面の他方向に沿った他端よりも外側で、当該他端の近傍に配置されたマイクロホンとを設けるようにしたことにより、通話モード時、着信に応じてタッチパネルの表面を手のひらで覆うようにして通信装置がユーザによって持たれたときや、通話のためにタッチパネルの表面がユーザの顔に近づけられたときに、タッチパネルの命令入力領域外をユーザの手のひらの一部や、耳の一部及びその周辺によってタッチさせることができ、その結果、タッチパネルの命令入力領域外がユーザの手のひらの一部や、耳の一部及びその周辺によってタッチされている間は、そのタッチパネルの命令入力領域内が手のひらの一部や、顔のほお等でタッチされても、意図しない命令が入力されることを回避することができ、かくして通話モード時に誤操作を回避し得る通信装置、入力制御方法及び入力制御プログラムを実現することができる。
【発明を実施するための最良の形態】
【００２２】
以下図面について、本発明の一実施の形態を詳述する。
【００２３】
（１）本発明による通信装置の概要
（１−１）第１の通信装置の概要
図１において、１は全体として本発明による第１の通信装置の構成の概要を示す。かかる第１の通信装置１は、他の装置と通話用に通信する通信機能を有している。
【００２４】
また第１の通信装置１においてタッチパネル２は、一方向よりも当該一方向と直交する他方向に長く形成された表面をタッチして命令を入力するために用いられ、表面の１箇所がタッチされると、当該１箇所のタッチ位置を検出するためのタッチ位置検出用データを出力し、表面の１箇所がタッチされている間に他の箇所がタッチされても、当該他の箇所のタッチ位置を検出するためのタッチ位置検出用データを出力しないようになされている。
【００２５】
さらに第１の通信装置１においてスピーカ３は、タッチパネル２の表面の他方向に沿った一端よりも外側で、当該一端の近傍に配置されている。
【００２６】
さらにまた第１の通信装置１においてマイクロホン４は、タッチパネル２の表面の他方向に沿った他端よりも外側で、当該他端の近傍に配置されている。
【００２７】
そして第１の通信装置１においてタッチパネル２は、通話モード時、表面の他方向に沿った他端寄りの少なくとも一部を命令入力用の命令入力領域２Ａとする。
【００２８】
かかる構成により第１の通信装置１は、通話モード時、着信に応じてタッチパネル２の表面を手のひらで覆うようにして当該第１の通信装置１がユーザによって持たれたときや、通話のためにタッチパネル２の表面がユーザの顔に近づけられたときに、タッチパネル２の命令入力領域２Ａ外をユーザの手のひらの一部や、耳の一部及びその周辺によってタッチさせることができる。
【００２９】
その結果、第１の通信装置１は、タッチパネル２の命令入力領域２Ａ外がユーザの手のひらの一部や、耳の一部及びその周辺によってタッチされている間は、そのタッチパネル２の命令入力領域２Ａ内が手のひらの一部や、顔のほお等でタッチされても、意図しない命令が入力されることを回避することができる。よって第１の通信装置１は、通話モード時に誤操作を回避することができる。
【００３０】
（１−２）第２の通信装置の概要
図２において、５は全体として本発明による第２の通信装置の構成の概要を示す。かかる第２の通信装置５は、他の装置と通話用に通信する通信機能を有している。
【００３１】
また第２の通信装置５においてタッチパネル６は、表面の一部を命令入力用の命令入力領域として、表面の命令入力領域内をタッチして命令を入力するために用いられ、表面の少なくとも２箇所がタッチされると、当該少なくとも２箇所のタッチ位置それぞれを検出するためのタッチ位置検出用データを出力する。
【００３２】
さらに第２の通信装置５において命令無効化部７は、通話モード時、タッチパネル６の表面の命令入力領域外がタッチされている間に、命令入力領域内がタッチされると、タッチパネル６から表面の命令入力領域外のタッチに応じて出力されるタッチ位置検出用データに基づき、タッチパネル６の表面の命令入力領域外がタッチされている間の命令入力領域内のタッチによる命令の入力を無効化する。
【００３３】
かかる構成により第２の通信装置５は、通話モード時、着信に応じてタッチパネル６の表面を手のひらで覆うようにして当該第２の通信装置５がユーザによって持たれたときや、通話のためにタッチパネル６の表面がユーザの顔に近づけられたときに、タッチパネル６の命令入力領域外がユーザの手のひらの一部や、耳の一部及びその周辺等によってタッチされると、その間、そのタッチパネル６の命令入力領域内が手のひら他の一部や、顔のほお等でタッチされても、意図しない命令が入力されることを回避することができる。よって第２の通信装置５も、通話モード時に誤操作を回避することができる。
【００３４】
（２）実施の形態
（２−１）情報通信端末の外観構成
図３（Ａ）及び（Ｂ）において、１０は全体として本発明による通信装置を適用した携帯型の情報通信端末を示す。かかる情報通信端末１０は、インターネットを利用してパーソナルコンピュータ及び他の情報通信端末等の外部装置との間で電子メールの送受信を実現する電子メール機能を有している。
【００３５】
また情報通信端末１０は、インターネットを利用してユーザと相手との通話を実現するＩＰ（Internet  Protocol）電話機能や、外部装置との無線又は有線による直接通信を実現する外部装置通信機能も有している。
【００３６】
さらに情報通信端末１０は、インターネット上のサーバや外部装置から音楽データや映像データ等を取得して記憶するデータ記憶機能や、かかるデータ記憶機能により記憶している音楽データや映像データを再生してユーザに視聴させる再生機能も有している。
【００３７】
さらにまた情報通信端末１０は、インターネット上のサーバが提供している種々の情報の閲覧を実現する情報閲覧機能等を有するように、種々の機能を実現し得るようになされている。
【００３８】
実際に情報通信端末１０は、一面及び他面が一方向よりも当該一方向と直交する他方向に長いレーストラック形状に形成された略偏平矩形状の端末筐体１１を有している。
【００３９】
因みに、以下の説明では、端末筐体１１が一方向へは比較的短く形成されているため、当該一方向を端末短手方向とも呼ぶ。また以下の説明では、端末筐体１１が他方向へは、短手方向の長さよりも長く形成されているため、当該他方向を端末長手方向とも呼ぶ。
【００４０】
そして端末筐体１１は、端末長手方向の長さが手のひらの横幅よりも長く選定されている。また端末筐体１１は、端末短手方向の長さが手のひらの縦幅程度に短く選定されている。
【００４１】
このようにして端末筐体１１は、片方の手のひらの人差し指側及び小指側からそれぞれ外側に端末長手方向に沿った一端側及び他端側をはみ出させながらも、その片方の手で把持可能な程度の大きさを有している。
【００４２】
また端末筐体１１は、他面側の他面側筐体（以下、これを下側筐体とも呼ぶ）１２に対し、一面側の一面側筐体（以下、これを上側筐体とも呼ぶ）１３が端末短手方向に沿ってスライド可能に取り付けられている。
【００４３】
下側筐体１２は、上側筐体１３側の上面１２Ａに文字（アルファベットやひらがな）や数字、記号等を入力可能な複数のキー１４が配置されている。
【００４４】
そして下側筐体１２は、上側筐体１３がスライドして上面１２Ａに重ねられると、複数のキー１４を外部から隠蔽するように当該上側筐体１３と一体化して略偏平矩形状の端末筐体１１となる。
【００４５】
また下側筐体１２は、上側筐体１３がスライドして上面１２Ａからずれると、複数のキー１４を外部に露出させてキーボードとして機能する。
【００４６】
従って端末筐体１１は、下側筐体１２に対し上側筐体１３がスライドして複数のキー１４を露出させると、これら複数のキー１４を介して電子メールの本文やスケジュール等の種々の情報を入力させ得るようになされている。
【００４７】
一方、上側筐体１３は、端末筐体１１の一面でもある上面１３Ａの中央部に表示部１５が長方形状の表示面１５Ａの長手方向（以下、これを表示面長手方向とも呼ぶ）を、端末長手方向と平行にして設けられている。
【００４８】
そして端末筐体１１は、外部装置やインターネット上のサーバから取得した種々の情報を表示画面として表示部１５の表示面１５Ａに表示し、目視させ得るようになされている。
【００４９】
また端末筐体１１は、下側筐体１２に対し上側筐体１３をスライドさせて当該下側筐体１２がキーボードとして用いられた場合、その下側筐体１２の複数のキー１４を介して入力されたテキスト情報等の種々の情報も表示画面として表示部１５の表示面１５Ａに表示して目視させ得るようになされている。
【００５０】
さらに端末筐体１１は、表示部１５の表示面１５Ａに対し、入力可能な種々の命令を示す表示子（以下、これをアイコンとも呼ぶ）を有するＧＵＩ（Graphic  User  interface）画面等も表示画面として表示し得るようになされている。
【００５１】
さらに上側筐体１３は、上面１３Ａの中央部に表示部１５の表示面１５Ａよりも大きなレーストラック形状を有し、ほぼ透明なタッチパネル１６が、当該タッチパネル１６の長手方向（以下、これをパネル長手方向とも呼ぶ）を端末長手方向と平行にし、かつ当該表示面１５Ａ及びその周囲を覆うように設けられている。
【００５２】
そして端末筐体１１は、表示部１５の表示面１５Ａに表示画面を表示すると、外部からタッチパネル１６を通して表示画面内のアイコンを見せることができることにより、当該タッチパネル１６の表面においてアイコンと対向する領域を、見かけ上、アイコンが示す命令を入力可能な領域（以下、これを命令入力領域とも呼ぶ）とする。
【００５３】
これにより端末筐体１１は、表示部１５の表示面１５Ａに表示画面を表示した状態で、タッチパネル１６の表面の命令入力領域が指やスタイラスペン等で触れられて押下される（以下、このようにタッチパネル１６の表面に触れて押下することをタッチとも呼ぶ）と、そのタッチされた命令入力領域と対向するアイコンに応じた命令を入力させ得るようになされている。
【００５４】
これに加えて図４に示すように、上側筐体１３は、上面１３Ａにおいて表示部１５の表示面１５Ａよりも端末長手方向に沿った一端側及び他端側の、タッチパネル１６によって覆われている部分（以下、これらを一端側パネル被覆部分及び他端側パネル被覆部分とも呼ぶ）１３Ｂ及び１３Ｃに、種々の命令を示すボタン１７乃至２２が描かれている。
【００５５】
実際に一端側パネル被覆部分１３Ｂには、入力可能な命令として、現在実行中のアプリケーションプログラムを提示するための情報提示命令を示すインフォメーションボタン１７が描かれている。
【００５６】
また一端側パネル被覆部分１３Ｂには、入力可能な命令として、表示部１５の表示面１５Ａに対し複数のウインドウを表示するためのマルチウインドウ表示命令を示すマルチウインドウボタン１８も描かれている。
【００５７】
さらに一端側パネル被覆部分１３Ｂには、入力可能な命令として、表示部１５の表示面１５Ａに現在表示されている表示画面に換えて、メインメニュー画面を表示するためのメニュー画面表示命令を示すホームボタン１９も描かれている。
【００５８】
一方、他端側パネル被覆部分１３Ｃには、入力可能な命令として、表示部１５の表示画１５Ａに対し現在表示している表示画面上に、当該表示中の表示画面に応じた設定画面を重畳させて表示（すなわち、ポップアップ表示）するための設定画面重畳表示命令を示すオプションボタン２０が描かれている。
【００５９】
また他端側パネル被覆部分１３Ｃには、入力可能な命令として、表示部１５の表示面１５Ａに対し、表示画面の輝度、文字のフォント等を設定する表示用設定画面を表示するための設定画面表示命令を示すディスプレイボタン２１も描かれている。
【００６０】
さらに他端側パネル被覆部分１３Ｃには、入力可能な命令として、表示部１５の表示面１５Ａに対し、現在表示している表示画面を１つ前に表示していた表示画面に戻して表示するためのバックボタン２２も描かれている。
【００６１】
そして端末筐体１１は、タッチパネル１６の表面において一端側パネル被覆部分１３Ｂや他端側パネル被覆部分１３Ｃの種々のボタン１７乃至２２と対向する領域（以下、これをボタン対向領域とも呼ぶ）内がタッチされると、そのタッチされたボタン対向領域と対向するボタン１７乃至２２に応じた命令も入力させ得るようにもなされている。
【００６２】
さらに上側筐体１３（図３（Ａ）及び（Ｂ）並びに図４）は、上面１３Ａにおいてタッチパネル１６のパネル長手方向に沿った一端よりも外側で、当該タッチパネル１６の一端の近傍（すなわち、上面１３Ａの端末長手方向に沿った一端寄り）にスピーカ２３が設けられている。
【００６３】
さらに上側筐体１３は、上面１３Ａにおいてタッチパネル１６のパネル長手方向に沿った他端よりも外側で、当該タッチパネル１６の他端の近傍（すなわち、上面１３Ａの端末長手方向に沿った他端寄り）にマイクロホン２４が設けられている。
【００６４】
よって端末筐体１１は、通話時に他面側から手で把持されてスピーカ２３が耳に近づけられ、マイクロホン２４が口元に近づけられると、スピーカ２３から相手の音声を出力して聞かせると共に、マイクロホン２４を介してユーザの音声を集音して通話を成立させることができる。
【００６５】
さらにまた上側筐体１３は、上面１３Ａにおいてマイクロホン２４の近傍に、軸部を傾斜操作及び押下操作可能な十字キー２５が設けられている。
【００６６】
十字キー２５は、軸部を上側筐体１３の上面１３Ａに対して垂直な姿勢から傾斜させるような傾斜操作に応じて例えば、端末短手方向に沿って互いに反対向きの一方向及び他方向を指定入力させ得るようになされている。
【００６７】
また十字キー２５は、軸部を上側筐体１３の上面１３Ａに対して垂直な姿勢から傾斜させるような傾斜操作に応じて例えば、端末長手方向に沿って互いに反対向きの一方向及び他方向も指定入力させ得るようになされている。
【００６８】
さらに十字キー２５は、軸部を上側筐体１３の上面１３Ａから下側筐体１２側へ押し下げるような押下操作に応じて例えば、決定命令を入力させ得るようになされている。
【００６９】
これにより筐体端末１１は、例えば表示部１５の表示面１５Ａに表示画面を表示した状態で、十字キー２５が傾斜操作されると、当該表示画面上でアイコンを指示する指示子（以下、これをカーソルとも呼ぶ）を、当該十字キー２５の傾斜方向に応じて移動させ得るようになされている。
【００７０】
また端末筐体１１は、例えば表示部１５の表示面１５Ａに表示画面を表示し、かつカーソルにより何れかのアイコンが選択されている状態で十字キー２５が押下操作されると、当該カーソルによるアイコンの選択が決定されたものとして、そのアイコンに応じた命令を入力させ得るようになされている。
【００７１】
これに加えて、図５に示すように、上側筐体１３において端末長手方向と平行な側面１３Ｂの中央部には、ＵＳＢ（Universal  Serial  Bus）コネクタ２６と、コネクタジャック２７とが並設されている。
【００７２】
この場合、上側筐体１３のＵＳＢコネクタ２６には、外部装置との有線による通信用に、ＵＳＢケーブル（図示せず）を接続し得るようになされている。
【００７３】
また上側筐体１３のコネクタジャック２７には、ヘッドホン（図示せず）や、音声の入出力機能を有するヘッドセット（図示せず）を接続し得るようになされている。
【００７４】
そして端末筐体１１は、コネクタジャック２７にヘッドセットが接続されていると、上述のスピーカ２３及びマイクロホン２４に換えてヘッドセットを利用してユーザと相手とを通話させ得るようになされている。
【００７５】
さらに上側筐体１３の側面１３Ｂには、直流電源を給電可能なＤＣ（Direct  Current）ジャック２８も設けられている。
【００７６】
そして端末筐体１１は、例えば、ＤＣジャック２８に対しＡＣ／ＤＣ（Alternating  Current/Direct  Current）アダプタ（図示せず）を介して商用電源が接続されると、その商用電源からＡＣ／ＤＣアダプタを介して供給される直流電源に応じて動作し、また図示しないバッテリを充電し得るようになされている。
【００７７】
（２−２）情報通信端末の回路構成
次に、上述した情報通信端末１０の回路構成について説明する。図６に示すように、情報通信端末１０は、例えば，マイクロプロセッサ構成の制御部３０を有している。
【００７８】
この場合、制御部３０は、フラッシュメモリ３１に記憶された基本プログラムや各種アプリケーションプログラム、入力制御プログラム等の種々のプログラムをＳＤＲＡＭ（Synchronous  Dynamic  Random  Access  Memory）等でなるＲＡＭ（Random  Access  Memory）３２に読み出して展開することにより、情報通信端末１０全体を統括制御すると共に、各種処理を実行する。
【００７９】
これにより制御部３０は、例えば、１のアプリケーションプログラムに従って上述した電子メール機能や、ＩＰ電話機能、外部装置通信機能、データ記憶機能、再生機能、情報閲覧機能等のうち１の機能を単独で実現することができる。
【００８０】
また制御部３０は、複数のアプリケーションプログラムを同時並行に実行して複数の機能を同時並行に実現し得るようにもなされている。
【００８１】
実際に制御部３０は、フラッシュメモリ３１又は大容量フラッシュメモリ３３に対し、タッチパネル１６を介して、上述した一端側パネル被覆部分１３Ｂ及び他端側パネル被覆部分１３Ｃのボタン１７乃至２２が示す命令の入力の有無を判別するための命令判別用データテーブル（以下、これを被覆部分命令判別用テーブルとも呼ぶ）を記憶している。
【００８２】
かかる被覆部分命令判別用テーブルは、一端側パネル被覆部分１３Ｂ及び他端側パネル被覆部分１３Ｃのボタン１７乃至２２が示す入力可能な命令と、タッチパネル１６の表面において当該ボタン１７乃至２２と対向するボタン対向領域の位置を複数の座標によって示す対向領域データとを対応付けて生成されている。
【００８３】
また制御部３０は、フラッシュメモリ３１又は大容量フラッシュメモリ３３に対し、タッチパネル１６を介して、表示部１５の表示面１５Ａに表示可能な表示画面毎にアイコンが示す命令の入力の有無を判別するための命令判別用データテーブル（以下、これを画面命令判別用テーブルとも呼ぶ）も記憶している。
【００８４】
かかる画面命令判別用テーブルは、表示画面毎に、当該表示画面内のアイコンが示す入力可能な命令と、タッチパネル１６の表面において当該アイコンと対向する命令入力領域の位置を複数の座標によって示す入力領域データと、当該命令の入力条件とを対応付けて生成されている。
【００８５】
ここで、表示画面内に設けられるアイコンとしては、例えば、入力機能を拡張するための入力機能拡張命令を示す入力機能拡張用のものがある。
【００８６】
また表示画面内に設けられるアイコンとしては、例えば、入力可能な命令として、入力機能を拡張してはいない状態で入力可能な１の命令と、当該入力機能を拡張することで特に入力可能になる他の１の命令とのように２種類の命令を示す特定のものもある。
【００８７】
このため特定のアイコン及び入力機能拡張用のアイコンが設けられた表示画面（以下、これを特に特定表示画面とも呼ぶ）に対応する画面命令判別用テーブルには、当該特定のアイコンが示す入力可能な２種類の命令に対応付けて、入力機能の拡張の有無が上述した命令の入力条件として記述されている。
【００８８】
そして制御部３０は、１又は複数の機能を実現する際、表示画面データを生成して表示部１５に送出することにより、当該表示部１５の表示面１５Ａに対し表示画面データに基づく表示画面を表示する。
【００８９】
また情報通信端末１０には、上述したタッチパネル１６として、例えば、２箇所のタッチ位置を検出するための静電容量方式のものが設けられている。
【００９０】
タッチパネル１６は、自己の動作中に表示部１５の表示面１５Ａに表示画面が表示された状態で表面の１箇所のみがタッチされると、当該表面の１箇所がタッチされている間、そのタッチされた位置（以下、これをタッチ位置とも呼ぶ）に応じたタッチ位置検出用データを制御部３０に送出する。
【００９１】
制御部３０は、タッチパネル１６からタッチ位置検出用データが与えられると、そのタッチ位置検出用データに基づきタッチパネル１６の表面における１箇所のタッチ位置を当該表面内の座標として検出する。
【００９２】
そして制御部３０は、被覆部分命令判別用テーブルや、そのとき表示部１５に表示している表示画面に対応する画面命令判別用テーブルを用いて、その検出したタッチ位置と、対向領域データ及び入力領域データが示すボタン対向領域及び命令入力領域とを比較する。
【００９３】
これにより制御部３０は、その検出したタッチ位置がボタン対向領域内や命令入力領域内の位置であるか否かを判別する。
【００９４】
その結果、制御部３０は、タッチ位置がボタン対向領域外の位置であり、かつ命令入力領域外の位置でもあると判別すると、そのときのタッチパネル１６の表面に対するタッチによっては何ら命令が入力されてはいないと判別する。
【００９５】
これに対して制御部３０は、タッチ位置がボタン対向領域内又は命令入力領域内の位置であると判別すると、当該タッチ位置を含むボタン対向領域又は命令入力領域に対応する命令を、タッチパネル１６の表面に対するタッチによって入力された命令であると判別する。
【００９６】
そして制御部３０は、このようにしてタッチパネル１６の表面に対するタッチにより入力された命令を判別すると、当該判別した命令に応じて、表示部１５の表示面１５Ａに表示する表示画面の切換処理や外部装置との通信処理等のように種々の処理を実行する。
【００９７】
またタッチパネル１６は、自己の動作中に表示部１５の表示面１５Ａに表示画面が表示された状態で表面の１箇所がタッチされると、当該表面の１箇所がタッチされている間、上述と同様にタッチ位置に応じたタッチ位置検出用データを制御部３０に送出する。
【００９８】
またタッチパネル１６は、表面の１箇所がタッチされた状態で、さらに他の１箇所が追加でタッチされると、当該表面の他の１箇所が追加でタッチされている間も、その追加でタッチされたタッチ位置に応じたタッチ位置検出用データを制御部３０に送出する。
【００９９】
制御部３０は、このようにタッチパネル１６から２つのタッチ位置検出用データが順次与えられると、これらタッチ位置検出用データに基づきタッチパネル１６の表面の２箇所のタッチ位置それぞれを当該表面内の座標として検出する。
【０１００】
そして制御部３０は、被覆部分命令判別用テーブルや、そのとき表示部１５に表示している表示画面に対応する画面命令判別用テーブルを用いて、その検出した２箇所のタッチ位置と、対向領域データ及び入力領域データが示すボタン対向領域及び命令入力領域とを比較する。
【０１０１】
これにより制御部３０は、一方のタッチ位置がボタン対向領域内や命令入力領域内の位置であるか否かを判別すると共に、他方のタッチ位置もボタン対向領域内や命令入力領域内の位置であるか否かを判別する。
【０１０２】
その結果、制御部３０は、一方のタッチ位置及び他方のタッチ位置が共にボタン対向領域外及び命令入力領域外の位置であると判別すると、そのときのタッチパネル１６の表面に対する２箇所のタッチによっては何ら命令が入力されてはいないと判別する。
【０１０３】
これに対して制御部３０は、一方のタッチ位置がボタン対向領域内又は命令入力領域内の位置であると判別すると、当該一方のタッチ位置を含むボタン対向領域又は命令入力領域に対応する命令を、そのときのタッチパネル１６の表面に対するタッチによって入力された命令であると判別する。
【０１０４】
また制御部３０は、一方のタッチ位置がボタン対向領域内又は命令入力領域内の位置であると判別すると共に、他方のタッチ位置もボタン対向領域内又は命令入力領域内の位置であると判別すると、当該一方のタッチ位置を含むボタン対向領域又は命令入力領域に対応する命令と、他方のタッチ位置を含むボタン対向領域又は命令入力領域に対応する命令とを、そのときのタッチパネル１６の表面に対する２箇所のタッチによって入力された２種類の命令であると判別する。
【０１０５】
制御部３０は、このようにしてタッチパネル１６の表面においてボタン対向領域内や命令入力領域内の１箇所や２箇所がタッチされると、命令の入力条件に従い当該表面がタッチされた直後や、表面のタッチが解除された時点（すなわち、表面から指やスタイラスペン等が離された時点）に、そのタッチに応じて入力された命令を判別する。
【０１０６】
そして制御部３０は、このようにしてタッチパネル１６の表面に対する２箇所のタッチにより入力された２種類の命令を判別したときにも、当該判別した２種類の命令に応じた種々の処理を実行する。
【０１０７】
ところで制御部３０は、例えば、表示部１５の表示面１５Ａに特定表示画面を表示した状態で、タッチパネル１６の表面において特定のアイコンと対向する命令入力領域内の１箇所のみが単独でタッチされると、そのタッチに応じて当該特定のアイコンが示す入力可能な２種類の命令のうち一方の命令が入力されたと判別する。
【０１０８】
これに対して制御部３０は、タッチパネル１６の表面において入力機能拡張用のアイコンと対向する命令入力領域内の１箇所がタッチされると、そのタッチに応じて入力機能拡張命令が入力されたと判別する。
【０１０９】
そして制御部３０は、このようにタッチパネル１６の表面において入力拡張用のアイコンと対向する命令入力領域内の１箇所がタッチされた状態で、特定のアイコンに対向する命令入力領域内の１箇所も追加でタッチされると、そのタッチに応じて当該特定のアイコンが示す入力可能な２種類の命令のうち他方の命令が入力されたと判別する。
【０１１０】
このようにして制御部３０は、表示部１５の表示面１５Ａに特定表示画面を表示すると、特定のアイコンが示す入力可能な２種類の命令を区別して入力させることができる。
【０１１１】
因みに制御部３０は、１又は複数の機能を実現する際、例えば、上述した複数のキー１４や十字キー２５を有するキー入力部３４がユーザによって操作され、当該キー入力部３４から操作に応じた操作データが与えられると、その操作データに応じた種々の処理も実行する。
【０１１２】
このようにして制御部３０は、例えば、無線通信部３５により８０２．１１規格に対応するＷＬＡＮ（Wireless  Local  Area  Network）の機能に準じてパーソナルコンピュータや他の情報通信端末等の外部装置と直接通信することができる。
【０１１３】
また制御部３０は、例えば、無線通信部３５によりアクセスポイント及びインターネットを順次介して外部装置や、インターネット上のサーバと通信することもできる。
【０１１４】
そして制御部３０は、このように外部装置やサーバと通信した結果、閲覧可能な情報を表示画面データとして無線通信部３５により受信したときには、かかる表示画面データを表示部１５に送出することにより当該表示部１５の表示面１５Ａに対し、その表示画面データに基づく表示画面を表示して閲覧可能な情報をユーザに閲覧させることができる。
【０１１５】
また制御部３０は、例えば、外部装置やサーバと通信した結果、音楽データや映像データ等を無線通信部３５により受信したときには、かかる音楽データや映像データを大容量フラッシュメモリ３３に送出して記憶する。
【０１１６】
そして制御部３０は、かかる映像データを再生する場合、大容量フラッシュメモリ３３から当該映像データを読み出して復号処理等の所定の再生処理を施して表示部１５に送出する。これにより制御部３０は、表示部１５の表示面１５Ａに対し映像データに基づく映像を表示してユーザに見せることができる。
【０１１７】
ところで制御部３０には、上述したコネクタジャック２７が接続されており、そのコネクタジャック２７には、例えば複数の接続ピンが設けられている。
【０１１８】
そしてコネクタジャック２７は、個々の接続ピンに対する外部コネクタ内の端子の接続の有無により、ヘッドセット及びヘッドホンの接続の有無を個別に検出し、その検出結果を制御部３０に通知し得るようになされている。
【０１１９】
よって制御部３０は、音楽データを再生する場合、大容量フラッシュメモリ３３から当該音楽データを読み出して音声処理部３６に送出する。音声処理部３６は、音楽データに対し復号処理やデジタル／アナログ変換処理、増幅処理等の再生処理を施して音楽信号を生成する。
【０１２０】
そして音声処理部３６は、例えば、このときコネクタジャック２７にヘッドホンが接続されてはいないと、制御部３０の制御のもとに音楽信号をスピーカ２３に送出することにより当該スピーカ２３から音楽信号に基づく音楽を出力させてユーザに聴かせることができる。
【０１２１】
一方、音声処理部３６は、例えば、このときコネクタジャック２７にヘッドホンが接続されていると、制御部３０の制御のもとに、かかる音楽信号をコネクタジャック２７を介してヘッドホンに送出することにより当該ヘッドホンから音楽信号に基づく音楽を出力させてユーザに聴かせることができる。
【０１２２】
また制御部３０は、ＩＰ電話によるユーザと相手との通話時に、コネクタジャック２７に対しヘッドセットが接続されてはいないと、マイクロホン２４を介してユーザの音声を集音して得られる音声信号を、切換部３７を介して音声処理部３６に取り込む。
【０１２３】
この際、音声処理部３６は、音声信号にアナログ／デジタル変換処理等の所定の処理を施して音声データを生成し、当該生成した音声データを制御部３０に送出する。
【０１２４】
これにより制御部３０は、かかる音声データを無線通信部３５によりアクセスポイント及びインターネットを順次介して相手の使用するパーソナルコンピュータや情報通信端末等の外部装置に送信する。
【０１２５】
また制御部３０は、このとき相手の外部装置から送信された相手の音声の音声データを無線通信部３５によって受信して取り込み、当該取り込んだ音声データを音声処理部３６に送出する。
【０１２６】
この際、音声処理部３６は、その音声データにデジタル／アナログ変換処理や増幅処理等の所定の処理を施して音声信号を生成し、当該生成した音声信号を制御部３０の制御のもとにスピーカ２３に送出して、そのスピーカ２３から音声信号に基づく相手の音声を出力させる。
【０１２７】
一方、制御部３０は、ＩＰ電話によるユーザと相手との通話時に、コネクタジャック２７に対しヘッドセットが接続されていると、ヘッドセットに設けられたマイクロホンを介してユーザの音声を集音して得られる音声信号をコネクタジャック２７及び切換部３７を順次介して音声処理部３６に取り込む。
【０１２８】
そして音声処理部３６は、その音声信号にアナログ／デジタル変換処理等の所定の処理を施して音声データを生成し、当該生成した音声データを制御部３０に送出する。
【０１２９】
これにより制御部３０は、かかる音声データを無線通信部３５によりアクセスポイント及びインターネットを順次介して、相手の使用する外部装置に送信する。
【０１３０】
また制御部３０は、このとき相手の外部装置から送信された相手の音声の音声データを無線通信部３５によって受信して取り込み、当該取り込んだ音声データを音声処理部３６に送出する。
【０１３１】
この際、音声処理部３６は、その音声データにデジタル／アナログ変換処理や増幅処理等の所定の処理を施して音声信号を生成し、当該生成した音声信号を制御部３０の制御のもとに切換部３７及びコネクタジャック２７を順次介して、ヘッドセットに設けられたヘッドホンに送出して、当該ヘッドセットのヘッドホンから音声信号に基づく相手の音声を出力させる。
【０１３２】
因みに、制御部３０は、ＩＰ電話の着呼時には呼出音（すなわち、リンガー）の呼出音データを音声処理部３６を介してアナログの呼出音信号としてスピーカ２３に送出し、又は切換部３７及びコネクタジャック２７を順次介してヘッドセットのヘッドホンに送出することにより、スピーカ２３又はヘッドセットのヘッドホンから呼出音を出力させてユーザに着呼を通知し得るようになされている。
【０１３３】
また大容量フラッシュメモリ３３には、上述した音楽データや映像データの他にも、各種アプリケーションプログラムに従って生成されたデータとして、例えば、インスタントメッセンジャー、ＩＰ電話、チャット、電子メール等のツールを用いて他のユーザと情報を授受する場合に用いられる、他のユーザの登録情報等が記憶されている。
【０１３４】
さらに大容量フラッシュメモリ３３には、他のユーザが使用する外部装置に対して送付される、自分自身（自己の情報通信端末１０及びユーザ）に関する登録情報も記憶されている。
【０１３５】
さらにＵＳＢコネクタ２６には、パーソナルコンピュータや他の情報通信端末等の外部装置以外にも、例えば、ＵＳＢケーブルを介して、ドライブ３８も接続し得るようになされている。
【０１３６】
そして制御部３０は、そのドライブ３８に装着された、磁気ディスク、光ディスク、光磁気ディスク、半導体メモリ等のリムーバブルメディア３９から読み出されたコンピュータプログラムを、ＵＳＢコネクタ２６を介して取り込んでフラッシュメモリ３１にインストールすることもできる。
【０１３７】
さらにまた制御部３０は、外部からＤＣジャック２８を介して直流電源が供給された場合、その直流電源を電源制御部４０に取り込んで情報通信端末１０の各部に供給することで、これら各部を動作させることができる。
【０１３８】
また制御部３０は、外部からＤＣジャック２８を介して直流電源が供給された場合、その直流電源を電源制御部４０に取り込んで、情報通信端末１０に装着されたバッテリ４１に供給して当該バッテリ４１を充電することもできる。
【０１３９】
そして制御部３０は、外部から直流電源が供給されていないときには、バッテリ４１が供給する直流電源を電源制御部４０に取り込んで情報通信端末１０の各部に供給することで、これら各部を動作させることができる。
【０１４０】
また制御部３０は、ＵＳＢコネクタ２６を介して例えば、パーソナルコンピュータに接続されたときには、当該パーソナルコンピュータから供給される直流電源を一旦は電源制御部４０に取り込んで情報通信端末１０の各部に供給することで、これら各部を動作させることもできる。
【０１４１】
（２−３）通話モード時の通話処理
次いで、ＩＰ電話機能を実現してユーザと相手とが通話する際の通話モード時の通話処理について詳述する。
【０１４２】
制御部３０は、例えば、大容量フラッシュメモリ３３に対し、１又は複数の他のユーザが使用する通信可能な情報通信端末やパーソナルコンピュータ等の外部装置それぞれに割り当てられているＩＰ電話用のアドレス情報と、他のユーザに関する氏名や連絡先（電話番号）等のユーザ情報とを対応付けて生成したアドレスリストを記憶している。
【０１４３】
そして制御部３０は、例えば、表示部１５の表示面１５Ａに所定の表示画面を表示した状態でタッチパネル１６がタッチされたことに応じて他の外部装置との通信が要求されると、大容量フラッシュメモリ３３からアドレスリストを読み出す。
【０１４４】
この際、制御部３０は、アドレスリスト内のユーザの氏名等に基づいて通信用の相手を選択させるための表示画面データ（以下、これを通信相手選択画面データとも呼ぶ）を生成する。
【０１４５】
そして制御部３０は、かかる通信相手選択画面データを表示部１５に送出することにより当該表示部１５の表示面１５Ａに対し通信相手選択画面データに基づく図７に示すような表示画面（以下、これを通信相手選択画面とも呼ぶ）６０を表示する。
【０１４６】
かかる通信相手選択画面６０には、表示面長手方向に沿ったマイクロホン２４側（すなわち、端末長手方向に沿った端末筐体１１の他端側）となる画面左側に通信可能な外部装置を使用する複数の他のユーザの氏名等が複数行のリスト６１として表示されている。
【０１４７】
また通信相手選択画面６０には、リスト６１を画面上側又は画面下側にスクロールさせて、当該リスト６１において通信相手選択画面６０内に表示しきれない部分を表示するためのスクロールボタン６２及び６３がリスト６１上に固定的に配置されている。
【０１４８】
因みに、かかる通信相手選択画面６０には、画面上側に帯状のタスクバー６４が画面左側の端（以下、これを画面左端とも呼ぶ）から、表示面長手方向に沿ったスピーカ２３側（すなわち、端末長手方向に沿った端末筐体１１の一端側）となる画面右側の端（以下、これを画面右端とも呼ぶ）までに亘って設けられている。
【０１４９】
そしてタスクバー６４には、バッテリ４１の残量を示すアイコン６５や、無線通信部３５によって受信している電波の強度を示すアイコン６６、また現在時刻６７等が表示されている。
【０１５０】
従って制御部３０は、タッチパネル１６の表面において、通信相手選択画面６０のスクロールボタン６２又は６３と対向する命令入力領域内がタッチされると、これに応じて当該通信相手選択画面６０内でリスト６１をスクロール表示させる。
【０１５１】
また制御部３０は、タッチパネル１６の表面において、通信相手選択画面６０内のリスト６１の何れかの１行（すなわち、任意に選択された他の１のユーザの氏名等が表示された行）と対向する領域内がタッチされると、当該タッチされた領域に対応する他のユーザ（すなわち、ユーザにより選択された他のユーザ）を通信用の相手として認識する。
【０１５２】
そして制御部３０は、アドレスリストに含まれる、通信用の相手として選択された他のユーザのユーザ情報に基づいて通信相手選択画面データを加工して表示部１５に送出する。
【０１５３】
これにより制御部３０は、表示部１５の表示面１５Ａに対し、加工した通信相手選択画面データに基づく図８に示すような通信相手選択画面７０を表示する。
【０１５４】
かかる通信相手選択画面７０は、リスト６１内においてユーザにより通信用の相手として選択された他のユーザの氏名等を表示している１行が枠７１で囲まれて強調表示され、これにより通信用の相手として選択された他のユーザを確認させることができる。
【０１５５】
また通信相手選択画面７０には、画面右側に、通信用の相手として選択された他のユーザに関するユーザ情報を表示するためのウインドウ（以下、これを通信相手ウインドウとも呼ぶ）７２が表示されている。
【０１５６】
この場合、かかる通信相手ウインドウ７２内には、通信用の相手として選択された他のユーザに関する氏名、自宅や職場、携帯電話機の電話番号等が表示されている。
【０１５７】
また通信相手ウインドウ７２内には、通信用の相手として選択されたユーザの使用する外部装置との通信に選択可能な通信形態として、チャットを示すチャット選択アイコン７３、ＩＰ電話を示すＩＰ電話選択アイコン７４、ファイル送信を示すファイル送信選択アイコン７５、ボイスメールを示すボイスメール選択アイコン７６が表示されている。
【０１５８】
そして制御部３０は、タッチパネル１６の表面において、通信相手ウインドウ７２内のＩＰ電話選択アイコン７４と対向する命令入力領域内がタッチされると、通信用の相手として選択された他のユーザをＩＰ電話の相手として、当該相手が使用する外部装置（以下、これを特に外部通話装置とも呼ぶ）へのＩＰ電話用の発呼を指示する発呼命令が入力されたと判別する。
【０１５９】
このようにして制御部３０は、発呼命令が入力されると、通話モードに移行する。そして制御部３０は、相手が使用する外部通話装置に割り当てられているＩＰ電話用のアドレス情報と、自己の情報通信端末１０に割り当てられているＩＰ電話用のアドレス情報とを格納した発呼データを生成する。
【０１６０】
また制御部３０は、かかる発呼データを無線通信部３５によりアクセスポイント及びインターネットを順次介して、相手が使用する外部通話装置に送信する。これにより制御部３０は、その外部通話装置を介して相手に発呼を通知する。
【０１６１】
ところで、制御部３０は、通話モードに移行すると、ユーザに対し相手に発呼したことを通知するための表示画面データ（以下、これを発呼通知画面データとも呼ぶ）を生成して表示部１５に送出する。
【０１６２】
これにより制御部３０は、表示部１５の表示面１５Ａに対し、通信相手選択画面７０に換えて、発呼通知画面データに基づき図９に示すような表示画面（以下、これを発呼通知画面とも呼ぶ）８０を表示する。
【０１６３】
この場合、発呼通知画面８０には、中央部から画面右側に亘って、通話のために呼出中である相手の氏名８１が表示されている。
【０１６４】
また発呼通知画面８０には、氏名８１の上側に、このＩＰ電話がユーザからかけられているものであることを示す「Ｃａｌｌｉｎｇ」と言う文字８２が表示され、当該氏名８１の下側には相手を呼出中であることを示す「Ｃｏｎｎｅｃｔｉｎｇ．．．」と言う文字８３が表示されている。
【０１６５】
さらに発呼通知画面８０には、画面左端近傍に、相手への呼び出しを中断するために入力可能な終話命令（すなわち、オフフック命令）を示す終話アイコン８４が表示されている。
【０１６６】
制御部３０は、相手を呼び出している間、表示部１５の表示面１５Ａに対し、かかる発呼通知画面８０を表示し続けて、ユーザに対し相手を呼出中であることを通知する。
【０１６７】
そして制御部３０は、相手により外部通話装置においてユーザと通話するために発呼に応答する応答命令（すなわち、オンフック命令）が入力されることで、当該外部通話装置から応答データがインターネット及びアクセスポイント経由で送信されると、その応答データを無線通信部３５によって受信して取り込む。
【０１６８】
これにより制御部３０は、その応答データに基づき、自己の情報通信端末１０と、相手の外部通話装置との間で通話用の通信接続が確立したものと認識する。
【０１６９】
そして制御部３０は、上述と同様にマイクロホン２４によりユーザの音声を集音するようにして得られた音声データを無線通信部３５により相手の外部通話装置に送信すると共に、相手の音声の音声データを無線通信部３５によって受信してスピーカ２３から当該音声データに基づく相手の音声を出力する。
【０１７０】
このようにして制御部３０は、ユーザから相手へＩＰ電話をかけさせて当該ユーザと相手とを通話させることができる。
【０１７１】
ところで、制御部３０は、このように相手により通話が許可され、自己の情報通信端末１０と、相手の外部通話装置との間で通話用の通信接続が確立すると、ユーザに相手との通話中であることを通知するための表示画面データ（以下、これを通話通知画面データとも呼ぶ）を生成して表示部１５に送出する。
【０１７２】
これにより制御部３０は、表示部１５の表示面１５Ａに対し、発呼通知画面８０に換えて、通話通知画面データに基づき図１０に示すような表示画面（以下、これを通話通知画面とも呼ぶ）８５を表示する。
【０１７３】
この場合、通話通知画面８５には、中央部から画面右側に亘って、発呼通知画面８０によって通知していた呼出中の相手の氏名がそのまま通話中の相手の氏名８１として表示されている。
【０１７４】
また通話通知画面８５には、氏名８１の上側に、このＩＰ電話がユーザからかけられているものであることを示す「Ｃａｌｌｉｎｇ」と言う文字８２が表示され、当該氏名８１の下側には通話時間８６が表示されている。
【０１７５】
さらに通話通知画面８５には、画面左端近傍に、ユーザ側から相手との通話を終了させるために入力可能な終話命令を示す終話アイコン８７が表示されている。
【０１７６】
さらに通話通知画面８５の画面左端近傍には、終話アイコン８７と共に、通話を保留するために入力可能な保留命令を示す保留アイコン８８、及び通話中にマイクロホン２４によるユーザの音声の集音を一時的に停止させて相手にユーザや，その周囲の音声を聞かせないようにするために入力可能な集音一時停止命令を示す集音一時停止アイコン８９も表示されている。
【０１７７】
そして制御部３０は、表示部１５の表示面１５Ａに通話通知画面８５を表示している間、タッチパネル１６の表面において終話アイコン８７、保留アイコン８８及び集音一時停止アイコン８９とそれぞれ対向する領域を見かけ上、終話命令、保留命令及び集音一時停止命令を入力するための命令入力領域としている。
【０１７８】
これにより制御部３０は、通話中にタッチパネル１６の命令入力領域内をタッチさせて終話命令や保留命令、集音一時停止命令を入力させることができる。
【０１７９】
また制御部３０は、ユーザと相手とが通話している間、表示部１５の表示面１５Ａに対し通話通知画面８５を表示し続けている。
【０１８０】
これにより制御部３０は、ユーザと相手とが通話している間、例えば、ユーザにより一時的に通話とは異なる作業を行うためにタッチパネル１６を介して保留命令が入力され、通話を保留している場合でも、表示部１５の表示面１５Ａに表示し続けている通話通知画面８５によりユーザに相手と通話中であること（すなわち、相手との通話が終了してはいないこと）を通知することができる。
【０１８１】
さらに制御部３０は、ユーザと相手とが通話している間、例えば、ユーザにより傍にいる人と一時的に会話するためにタッチパネル１６を介して集音一時停止命令が入力され、ユーザやその周囲の音声を相手に聞かせないようにしている場合も、表示部１５の表示面１５Ａに表示し続けている通話通知画面８５によりユーザに相手と通話中であること（すなわち、相手との通話が終了してはいないこと）を通知することができる。
【０１８２】
ところで制御部３０は、例えば、ユーザによりタッチパネル１６を介して終話命令が入力されると、通話の終了を通知する終話通知データを生成する。
【０１８３】
そして制御部３０は、かかる終話通知データを無線通信部３５によりアクセスポイント及びインターネットを順次介して、相手が使用する外部通話装置に送信することにより当該外部通話装置にユーザと相手との通話の終了を通知する。
【０１８４】
これにより制御部３０は、自己の情報通信端末１０と相手が使用する外部通話装置との通話用の通信を遮断し、かくしてユーザと相手との通話を終了させる。
【０１８５】
ところで、制御部３０は、このように自己の情報通信端末１０と、相手が使用する外部通話装置との通話用の通信を遮断してユーザと相手との通話を終了させると、当該ユーザと相手との通話が終了したことを通知するための表示画面データ（以下、これを終話通知画面データとも呼ぶ）を生成して表示部１５に送出する。
【０１８６】
これにより制御部３０は、表示部１５の表示面１５Ａに対し、通話通知画面８５に換えて、終話通知画面データに基づき図１１に示すような表示画面（以下、これを終話通知画面とも呼ぶ）９０を表示する。
【０１８７】
この場合、終話通知画面９０には、中央部から画面右側に亘って、通話通知画面８５によって通知していた通話中の相手の氏名がそのまま通話の終了した相手の氏名８１として表示されている。
【０１８８】
また終話通知画面９０には、氏名８１の上側に、今回のＩＰ電話がユーザからかけられていたものであることを示す「Ｃａｌｌｉｎｇ」と言う文字８２が表示され、当該氏名８１の下側には通話が終了したことを示す「Ｅｎｄｅｄ」と言う文字９１が表示されている。
【０１８９】
さらに終話通知画面９０には、画面左端近傍に、当該終話通知画面９０の表示を終了する（すなわち、終話通知画面９０を閉じる）ために入力可能な表示終了命令を示す表示終了アイコン９２が表示されている。
【０１９０】
そして制御部３０は、表示部１５の表示面１５Ａに終話通知画面９０を表示している間、タッチパネル１６の表面において表示終了アイコン９２と対向する領域を見かけ上、表示終了命令を入力するための命令入力領域としている。
【０１９１】
これにより制御部３０は、ユーザに対し終話通知画面９０の表示中にタッチパネル１６の命令入力領域内をタッチさせて表示終了命令を入力させることができる。
【０１９２】
実際に制御部３０は、終話通知画面９０を表示している状態で表示終了命令が入力されると、通話モードを終了すると共に、表示部１５の表示面１５Ａに対し、当該終話通知画面９０に換えて（すなわち、表示を終了させて）例えば、通話開始前に表示していた通信相手選択画面６０又は７０を表示する。
【０１９３】
因みに制御部３０は、表示部１５の表示面１５Ａに対し終話通知画面９０の表示を開始した時点に、例えば内部に設けられたタイマによって計時を開始する。
【０１９４】
そして制御部３０は、終話通知画面９０の表示開始から所定時間が経過しても表示終了命令が入力されなかったときには、当該所定時間が経過した時点に通話モードを終了する。
【０１９５】
このようにして制御部３０は、通話モードを終了すると、表示部１５の表示面１５Ａに対する終話通知画面９０の表示も終了させて、当該表示面１５Ａに対し例えば、通話開始前に表示していた通信相手選択画面６０又は７０を再び表示する。
【０１９６】
また制御部３０は、上述したように表示部１５の表示面１５Ａに対し発呼通知画面８０を表示している間、タッチパネル１６の表面において終話アイコン８４と対向する領域を見かけ上、終話命令を入力するためのを命令入力領域としている。
【０１９７】
これにより制御部３０は、相手を呼び出している途中にタッチパネル１６の命令入力領域内をタッチさせることで、終話命令を入力させることができる。
【０１９８】
そして制御部３０は、相手を呼び出している途中に例えば、ユーザにより相手との通話を急遽取り止めるためにタッチパネル１６を介して終話命令が入力されると、相手への発呼を中断する発呼中断データを生成する。
【０１９９】
また制御部３０は、かかる発呼中断データを無線通信部３５によりアクセスポイント及びインターネットを順次介して、相手が使用する外部通話装置に送信した後、通信を遮断することにより当該相手への発呼を中断する。
【０２００】
そして制御部３０は、このように相手への発呼を中断すると、当該発呼を中断したことを通知するために表示部１５の表示面１５Ａに対し、発呼通知画面８０に換えて、図１１について上述した終話通知画面９０を表示する。
【０２０１】
このようにして制御部３０は、発呼の中断の通知に、通話の終了の通知に使用する終話通知画面９０を併用し、当該終話通知画面９０を表示すると、図１１について上述した場合と同様に通話モードを終了する。
【０２０２】
また制御部３０は、相手を呼び出している途中に、外部通話装置から当該相手による通話を拒否する通話拒否命令の入力に応じてインターネット及びアクセスポイント経由で送信された通話拒否データを無線通信部３５によって受信して取り込むと、その外部通話装置との通信を遮断して相手への発呼を中断する。
【０２０３】
そして制御部３０は、このように相手から通話が拒否されると、当該通話が拒否されたことを通知するために表示部１５の表示面１５Ａに対し、発呼通知画面８０に換えて、図１１について上述した終話通知画面９０を表示する。
【０２０４】
制御部３０は、このようにして通話が拒否されたときにも、その通話の拒否の通知に、通話の終了の通知に使用する終話通知画面９０を併用し、当該終話通知画面９０を表示すると、図１１について上述した場合と同様に通話モードを終了する。
【０２０５】
さらに制御部３０は、例えば、ユーザと相手との通話の際、そのユーザにより終話命令が入力される前に、外部通話装置から相手による終話命令の入力に応じてインターネット及びアクセスポイント経由で送信された終話通知データを無線通信部３５によって受信して取り込むと、自己の情報通信端末１０と相手が使用する外部通話装置との通話用の通信を遮断し、かくしてユーザと相手との通話を終了させる。
【０２０６】
そして制御部３０は、このように相手による終話命令の入力 に応じて通話を終了させたときにも、表示部１５の表示面１５Ａに対し、通話通知画面８５に換えて終話通知画面９０を表示して、図１１について上述した場合と同様に通話モードを終了する。
【０２０７】
一方、制御部３０は、ユーザとの通話を要求する相手の外部装置（以下、これも外部通話装置とも呼ぶ）から、当該外部通話装置に割り当てられているＩＰ電話用のアドレス情報と、自己の情報通信端末１０に割り当てられているＩＰ電話用のアドレス情報とを格納した着呼データがインターネット及びアクセスポイント経由で送信されると、その着呼データを無線通信部３５によって受信して取り込む。
【０２０８】
制御部３０は、着呼データを受信すると、通話モードに移行し、アドレスリストと、着呼データに含まれる外部通話装置のアドレス情報とに基づき、ユーザとの通話を要求している相手の氏名を検出する。
【０２０９】
そして制御部３０は、その検出した相手の氏名を用いて、ユーザに相手からの着呼を通知するための表示画面データ（以下、これを着呼通知画面データとも呼ぶ）を生成して表示部１５に送出する。
【０２１０】
これにより制御部３０は、表示部１５の表示面１５Ａに対し、そのときまでに表示していた表示画面に換えて、着呼通知画面データに基づき図１２に示すような表示画面（以下、これを着呼通知画面とも呼ぶ）９５を表示する。
【０２１１】
この場合、着呼通知画面９５には、中央部から画面右側に亘って、通話を要求している相手の氏名９６が表示されている。
【０２１２】
また着呼通知画面９５には、氏名９６の上側に、このＩＰ電話が相手からかけられているものであることを示す「Ｉｎｃｏｍｉｎｇ  Ｃａｌｌ」と言う文字９７が表示され、当該氏名９６の下側には着呼に応じてユーザを呼出中であることを示す「Ｉｎｃｏｍｉｎｇ  Ｃａｌｌ」と言う文字９８が表示されている。
【０２１３】
さらに着呼通知画面９５には、画面左端近傍に、相手からの着呼に応答して通話するために入力可能な応答命令（すなわち、オンフック命令）を示す応答アイコン９９が表示されている。
【０２１４】
さらに着呼通知画面９５には、応答アイコン９９と共に、相手からの着呼に応じて鳴らしている呼出音を、呼出中に任意に消音するために入力可能な消音命令を示す消音アイコン１００、及び相手からの通話の要求を拒否するために入力可能な通話拒否命令を示す通話拒否アイコン１０１も表示されている。
【０２１５】
そして制御部３０は、表示部１５の表示面１５Ａに着呼通知画面９５を表示している間、タッチパネル１６の表面において応答アイコン９９、消音アイコン１００及び通話拒否アイコン１０１とそれぞれ対向する領域を見かけ上、応答命令、消音命令及び通話拒否命令を入力するための命令入力領域としている。
【０２１６】
これにより制御部３０は、呼出中にタッチパネル１６の命令入力領域内をタッチさせて応答命令や消音命令、通話拒否命令を入力させることができる。
【０２１７】
また制御部３０は、相手からの着呼に応じてユーザを呼び出している間、表示部１５の表示面１５Ａに対し着呼通知画面９５を表示し続けて、ユーザに対し相手からの着呼を通知する。
【０２１８】
そして制御部３０は、ユーザにより着呼に応答して相手と通話するためにタッチパネル１６を介して応答命令が入力されると、応答データを生成する。
【０２１９】
これにより制御部３０は、その応答データを無線通信部３５によりアクセスポイント及びインターネットを順次介して相手の外部通話装置に送信し、自己の情報通信端末１０と、当該相手の使用する外部通話装置との間で通話用の通信接続を確立させる。
【０２２０】
そして制御部３０は、上述と同様にマイクロホン２４によりユーザの音声を集音するようにして得られた音声データを無線通信部３５により相手の外部通話装置に送信すると共に、相手の音声の音声データを無線通信部３５によって受信してスピーカ２３から当該音声データに基づく相手の音声を出力する。
【０２２１】
このようにして制御部３０は、相手からユーザへＩＰ電話がかかってきた場合でも、当該相手とユーザとを通話させることができる。
【０２２２】
ところで、制御部３０は、このようにユーザにより相手からの着呼が許可され、自己の情報通信端末１０と、相手の外部通話装置との間で通話用の通信接続が確立すると、ユーザに相手との通話中であることを通知するための通話通知画面データを生成して表示部１５に送出する。
【０２２３】
これにより制御部３０は、表示部１５の表示面１５Ａに対し、着呼通知画面９５に換えて、通話通知画面データに基づき図１３に示すような通話通知画面１０５を表示する。
【０２２４】
この場合、通話通知画面１０５には、中央部から画面右側に亘って、着呼通知画面９５によって通知していた通話を要求していた相手の氏名がそのまま通話中の相手の氏名９６として表示されている。
【０２２５】
また通話通知画面１０５には、氏名９６の上側に、このＩＰ電話が相手からかけられているものであることを示す「Ｉｎｃｏｍｉｎｇ  Ｃａｌｌ」と言う文字９７が表示され、当該氏名９６の下側には通話時間１０６が表示されている。
【０２２６】
さらに通話通知画面１０５には、画面左端近傍に、入力可能な命令として、終話命令を示す終話アイコン１０７、保留命令を示す保留アイコン１０８、及び集音一時停止命令を示す集音一時停止アイコン１０９が表示されている。
【０２２７】
そして制御部３０は、表示部１５の表示面１５Ａに通話通知画面１０５を表示している間、タッチパネル１６の表面において終話アイコン１０７、保留アイコン１０８及び集音一時停止アイコン１０９とそれぞれ対向する領域を見かけ上、終話命令、保留命令及び集音一時停止命令を入力するための命令入力領域としている。
【０２２８】
これにより制御部３０は、通話中にタッチパネル１６の命令入力領域内をタッチさせて終話命令や保留命令、集音一時停止命令を入力させることができる。
【０２２９】
また制御部３０は、ユーザと相手とが通話している間、表示部１５の表示面１５Ａに対し通話通知画面１０５を表示し続けている。
【０２３０】
これにより制御部３０は、ユーザと相手とが通話している間、例えば、ユーザによりタッチパネル１６を介して保留命令が入力され、通話を保留している場合でも、表示部１５の表示面１５Ａに表示し続けている通話通知画面１０５によりユーザに相手と通話中であること（すなわち、相手との通話が終了してはいないこと）を通知することができる。
【０２３１】
さらに制御部３０は、ユーザと相手とが通話している間、例えば、ユーザによりタッチパネル１６を介して集音一時停止命令が入力され、ユーザやその周囲の音声を相手に聞かせないようにしている場合も、表示部１５の表示面１５Ａに表示し続けている通話通知画面１０５によりユーザに相手と通話中であること（すなわち、相手との通話が終了してはいないこと）を通知することができる。
【０２３２】
ところで制御部３０は、例えば、ユーザによりタッチパネル１６を介して終話命令が入力されると、通話の終了を通知する終話通知データを生成する。
【０２３３】
そして制御部３０は、かかる終話通知データを無線通信部３５によりアクセスポイント及びインターネットを順次介して、相手が使用する外部通話装置に送信することにより当該外部通話装置にユーザと相手との通話の終了を通知する。
【０２３４】
これにより制御部３０は、自己の情報通信端末１０と相手が使用する外部通話装置との通話用の通信を遮断し、かくしてユーザと相手との通話を終了させる。
【０２３５】
ところで、制御部３０は、このように自己の情報通信端末１０と、相手が使用する外部通話装置との通話用の通信を遮断してユーザと相手との通話を終了させると、当該ユーザと相手との通話が終了したことを通知するための終話通知画面データを生成して表示部１５に送出する。
【０２３６】
これにより制御部３０は、表示部１５の表示面１５Ａに対し、通話通知画面１０５に換えて、終話通知画面データに基づき図１４に示すような終話通知画面１１０を表示する。
【０２３７】
この場合、終話通知画面１１０には、中央部から画面右側に亘って、通話通知画面１０５によって通知していた通話中の相手の氏名がそのまま通話の終了した相手の氏名９６として表示されている。
【０２３８】
また終話通知画面１１０には、氏名９６の上側に、今回のＩＰ電話が相手からかけられていたものであることを示す「Ｉｎｃｏｍｉｎｇ  Ｃａｌｌ」と言う文字９７が表示され、当該氏名９６の下側には通話が終了したことを示す「Ｅｎｄｅｄ」と言う文字１１１が表示されている。
【０２３９】
さらに終話通知画面１１０には、画面左端近傍に、入力可能な命令として表示終了命令を示す表示終了アイコン１１２が表示されている。
【０２４０】
そして制御部３０は、表示部１５の表示面１５Ａに終話通知画面１１０を表示している間、タッチパネル１６の表面において表示終了アイコン１１２と対向する領域を見かけ上、表示終了命令を入力するための命令入力領域としている。
【０２４１】
これにより制御部３０は、終話通知画面１１０の表示中にタッチパネル１６の命令入力領域内をタッチさせて表示終了命令を入力させることができる。
【０２４２】
実際に制御部３０は、終話通知画面１１０を表示している状態で表示終了命令が入力されると、通話モードを終了すると共に、表示部１５の表示面１５Ａに対し、当該終話通知画面１１０に換えて（すなわち、表示を終了させて）例えば、通話開始前に表示していた表示画面を表示する。
【０２４３】
因みに制御部３０は、表示部１５の表示面１５Ａに対し終話通知画面１１０の表示を開始した時点にも、例えば内部のタイマによって計時を開始する。
【０２４４】
そして制御部３０は、終話通知画面１１０の表示開始から所定時間が経過しても表示終了命令が入力されなかったときには、当該所定時間が経過した時点に通話モードを終了する。
【０２４５】
このようにして制御部３０は、通話モードを終了すると、その時点に表示部１５の表示面１５Ａに対する終話通知画面１１０の表示も終了させて、当該表示面１５Ａに対し例えば、通話開始前に表示していた表示画面を再び表示する。
【０２４６】
また制御部３０は、上述したように表示部１５の表示面１５Ａに対し着呼通知画面９５を表示してユーザを呼び出している途中に、そのユーザにより相手との通話を拒否するためにタッチパネル１６の表面において通話拒否アイコン１０１と対向する命令入力領域がタッチされ、通話拒否命令が入力されると、相手との通話を拒否する通話拒否データを生成する。
【０２４７】
そして制御部３０は、かかる通話拒否データを無線通信部３５によりアクセスポイント及びインターネットを順次介して、相手が使用する外部通話装置に送信した後、通信を遮断することによりユーザを相手と通話させないようにする。
【０２４８】
そして制御部３０は、このように相手との通話が拒否され通信を遮断すると、当該通話を拒否したことを通知するために表示部１５の表示面１５Ａに対し、着呼通知画面９５に換えて、図１４について上述した終話通知画面１１０を表示する。
【０２４９】
このようにして制御部３０は、通話の拒否の通知に、通話の終了の通知に使用する終話通知画面１１０を併用し、当該終話通知画面１１０を表示すると、図１４について上述した場合と同様に通話モードを終了する。
【０２５０】
また制御部３０は、ユーザを呼び出している途中に、外部通話装置から相手による着呼を中断する着呼中断命令の入力に応じてインターネット及びアクセスポイント経由で送信された着呼中断データを無線通信部３５によって受信して取り込むと、その外部通話装置との通信を遮断して相手からの着呼を中断する。
【０２５１】
そして制御部３０は、このように相手からの着呼が中断されると、当該着呼が中断されたことを通知するために表示部１５の表示面１５Ａに対し、着呼通知画面９５に換えて、図１４について上述した終話通知画面１１０を表示する。
【０２５２】
制御部３０は、このようにして着呼が中断されたときにも、その着呼の中断の通知に、通話の終了の通知に使用する終話通知画面１１０を併用し、当該終話通知画面１１０を表示すると、図１４について上述した場合と同様に通話モードを終了する。
【０２５３】
さらに制御部３０は、例えば、ユーザと相手との通話の際、そのユーザにより終話命令が入力される前に、外部通話装置から相手による終話命令の入力に応じてインターネット及びアクセスポイント経由で送信された終話通知データを無線通信部３５によって受信して取り込むと、自己の情報通信端末１０と相手が使用する外部通話装置との通話用の通信を遮断し、かくしてユーザと相手との通話を終了させる。
【０２５４】
そして制御部３０は、このように相手による終話命令の入力に応じて通話を終了させたときにも、表示部１５の表示面１５Ａに対し、通話通知画面１０５に換えて終話通知画面１１０を表示して、図１４について上述した場合と同様に通話モードを終了する。
【０２５５】
（２−４）通話モード時の入力制御処理
次いで、通話モード時の入力制御処理について説明する。まず、以下の説明では、便宜上、発呼通知画面８０、通話通知画面８５及び１０５、終話通知画面９０及び１１０、着呼通知画面９５を特には区別する必要のない場合、単に通話時表示画面とも呼ぶ。
【０２５６】
また、以下の説明では、便宜上、終話アイコン８４、８７及び１０７、保留アイコン８８及び１０８、集音一時停止アイコン８９及び１０９、表示終了アイコン９２及び１１２、応答アイコン９９、消音アイコン１００、通話拒否アイコン１０１を特には区別する必要のない場合、単に通話時表示アイコンとも呼ぶ。
【０２５７】
図１５に示すように、制御部３０は、通話モード時（すなわち、通話モードに移行した時点から当該通話モードを終了した時点までの間）、表示部１５の表示面１５Ａに通話時表示画面を表示した状態でタッチパネル１６の表面がタッチされると、タッチ位置は検出するものの、タッチ位置の判別等の処理において被覆部分命令判別用テーブルの使用を制限して当該被覆部分命令判別用テーブルを使用しないようにする。
【０２５８】
従って、制御部３０は、通話モード時、タッチパネル１６の表面がタッチされると、画面命令判別用テーブルのみを使用してタッチ位置が通話時表示アイコンと対向する命令入力領域１２０内の位置であるか否かを判別し、当該タッチ位置がボタン対向領域内の位置であるか否かを全く判別しないようにする。
【０２５９】
すなわち、制御部３０は、タッチ位置がボタン対向領域内の位置であるとしても、そのタッチ位置を単に命令入力領域１２０外の位置であると判別する。
【０２６０】
そして制御部３０は、タッチ位置が命令入力領域１２０内の位置であると判別したときのみ、タッチパネル１６の表面に対するタッチによって入力された命令を判別する。
【０２６１】
これにより制御部３０は、通話モード時、タッチパネル１６の表面において、一端側パネル被覆部分１３Ｂ及び他端側パネル被覆部分１３Ｃのボタン１７乃至２２と対向するボタン対向領域内がタッチされても、当該ボタン対向領域内のタッチによる命令の入力を無効化している。
【０２６２】
また制御部３０は、タッチパネル１６の表面がタッチされている間は、当該タッチパネル１６から継続的にタッチ位置検出用データが与えられることにより、当該表面がタッチされている間はタッチ位置を検出し続けると共に、そのタッチ位置が命令入力領域１２０内の位置であるか否かを判別し続けている。
【０２６３】
従って、制御部３０は、通話モード時、タッチパネル１６の表面において通話時表示アイコンと対向する命令入力領域１２０外（すなわち、タッチパネル１６の表面全体のうち通話時表示アイコンと対向する命令入力領域１２０を除く領域）がタッチされると、上述したように、そのタッチ位置が命令入力領域１２０外の位置であると判別するものの、タッチパネル１６の表面において命令入力領域１２０外が継続的にタッチされている間はそのタッチ位置が命令入力領域１２０外の位置であると判別し続けている。
【０２６４】
そして制御部３０は、このようにタッチパネル１６の表面において命令入力領域１２０外がタッチされ、そのタッチ位置が表面の命令入力領域１２０外の位置であると判別している間は、タッチパネル１６の表面が追加でタッチされ、当該追加でタッチされたタッチ位置を検出しても、その追加でタッチされたタッチ位置を、実際には命令入力領域１２０内の位置と命令入力領域１２０外の位置との何れであっても命令入力領域１２０外の位置であると強制的に判別するようにタッチ位置の判別条件を設定する。
【０２６５】
因みに、以下の説明では、このようにタッチ位置を実際の位置にかかわらずに命令入力領域１２０外の位置であると強制的に判別するようなタッチ位置の判別条件をタッチ位置判別条件とも呼ぶ。
【０２６６】
これにより制御部３０は、タッチパネル１６の表面において命令入力領域１２０外がタッチされ、そのタッチ位置が命令入力領域１２０外の位置であると判別している間は、タッチパネル１６の表面が追加でタッチされてタッチ位置を検出しても、タッチ位置判別条件に応じて、当該追加でタッチされたタッチ位置を命令入力領域１２０外の位置であると強制的に判別する。
【０２６７】
従って、制御部３０は、通話モード時、タッチパネル１６の表面において命令入力領域１２０外がタッチされ、そのタッチ位置が表面の命令入力領域１２０外の位置であると判別している間は、タッチパネル１６の表面において命令入力領域１２０内が追加でタッチされても、当該表面の命令入力領域１２０内のタッチによる命令の入力を何ら判別せずに無効化している。
【０２６８】
ところで、制御部３０は、通話モード時、タッチパネル１６の表面における命令入力領域１２０外のタッチに応じてタッチ位置判別条件を設定しても、タッチパネル１６の表面において他の箇所が何らタッチされてはいない状態で、命令入力領域１２０外の最初のタッチが解除される（すなわち、タッチパネル１６の表面からタッチのための指やスタイラスペン等が離される）と、その時点にタッチ位置判別条件の設定も解除する（すなわち、タッチ位置を実際の位置にかかわらずに命令入力領域１２０外の位置であると強制的には判別しないようにする）。
【０２６９】
ただし、制御部３０は、通話モード時、タッチパネル１６の表面における命令入力領域１２０外のタッチに応じてタッチ位置判別条件を設定し、追加でタッチされたタッチ位置を、そのタッチ位置判別条件に従い命令入力領域１２０外の位置であると強制的に判別している状態で、命令入力領域１２０外の最初のタッチが解除された時点には、タッチ位置判別条件の設定の解除を見送り、その追加のタッチが解除された時点にタッチ位置判別条件の設定を解除する。
【０２７０】
これにより制御部３０は、通話モード時、タッチパネル１６の表面における命令入力領域１２０外のタッチに応じてタッチ位置判別条件を設定し、追加でタッチされたタッチ位置を命令入力領域１２０内の位置であるにもかかわずにタッチ位置判別条件に従い命令入力領域１２０外の位置であると強制的に判別している状態で、命令入力領域１２０外の最初のタッチが解除された時点に、命令入力領域１２０外の位置であると強制的に判別していたタッチ位置を命令入力領域１２０内の位置であると判別し直して命令が入力されることを防止している。
【０２７１】
すなわち、制御部３０は、通話モード時、タッチパネル１６の表面において命令入力領域１２０外の１箇所が先にタッチされた状態で他の箇所も追加でタッチされると、これら２箇所のタッチが全て解除されるまでの間は、タッチ位置判別条件の設定によりタッチパネル１６の表面における命令入力領域１２０内のタッチによる命令の入力を判別しないようにして無効化している。
【０２７２】
一方、図１６に示すように、例えば、上述した通話通知画面８５には、終話アイコン８７、保留アイコン８８及び集音一時停止アイコン８９が端末短手方向に沿って並べられ、かつ共に画面左端近傍に配置されている。
【０２７３】
これにより通話通知画面８５内の終話アイコン８７、保留アイコン８８及び集音一時停止アイコン８９は、それぞれスピーカ２３から極力離間し、かつマイクロホン２４に極力近接して位置している。
【０２７４】
また通話モード時に表示部１５の表示面１５Ａに表示される上述した発呼通知画面８０や着呼通知画面９５等の他の通話時表示画面についても、同様に終話アイコン８４や応答アイコン９９、通話拒否アイコン１０１等の他の通話時表示アイコンが画面左端近傍に配置され、その結果、スピーカ２３から極力離間し、かつマイクロホン２４に極力近接して位置している。
【０２７５】
従って、情報通信端末１０は、通話モード時、スピーカ２３がユーザの耳に近づけられ、かつマイクロホン２４がユーザの口もとに近づけられても、タッチパネル１６の表面において通話時表示アイコンと対向する命令入力領域１２０が、ユーザの耳の周囲によって直接タッチされることを回避している。
【０２７６】
また情報通信端末１０は、端末長手方向に沿って比較的長く形成されていることにより、このように通話モード時にスピーカ２３がユーザの耳に近づけられ、かつマイクロホン２４がユーザの口もとに近づけられると、タッチパネル１６の表面において通話時表示アイコンと対向する命令入力領域１２０がユーザの顔のほおによってタッチされることも極力回避し得るようになされている。
【０２７７】
さらにタッチパネル１６は、パネル長手方向に沿ったスピーカ２３側の一端が円弧状にに形成されている。
【０２７８】
そして情報通信端末１０は、タッチパネル１６の円弧状の一端において端末筐体１１の一端側に最も張り出している頂点近傍にスピーカ２３が設けられている。
【０２７９】
従って、情報通信端末１０は、通話モード時にスピーカ２３がユーザの耳に近づけられ、かつマイクロホン２４がユーザの口もとに近づけられると、タッチパネル１６の一端部をユーザの耳の一部（耳穴の縁の突出部分や耳たぶ）や耳の周囲（耳穴よりも顔のほお寄りの部分）によってタッチさせ易くしている。
【０２８０】
そしてユーザが通話モード時に情報通信端末１０を手で持ってスピーカ２３を耳に近づけ、かつマイクロホン２４を口もとに近づける（すなわち、顔に近づける）ときには、一般的に、まずスピーカ２３部分を耳に押し当てるようにして相手の音声が聞こえることを確認して、当該スピーカ２３部分をそのまま耳に押し当てながら相手と通話する傾向にある。
【０２８１】
すなわち、情報通信端末１０では、通話モード時にユーザにより手で持たれて顔に近づけられると、まずタッチパネル１６の表面の命令入力領域１２０外となる一端部がユーザの耳の一部（耳穴の縁の突出部分や耳たぶ）や耳の周囲（耳穴よりも顔のほお寄りの部分）によってタッチされ、そのタッチが継続されることなる。
【０２８２】
また情報通信端末１０では、端末筐体１１の一面が平面状に形成されていることにより、このように通話モード時にユーザにより手で持たれて顔に近づけられると、必然的にマイクロホン２４側が口もと部分からある程度離れることになる。
【０２８３】
このため制御部３０は、通話モード時、情報通信端末１０がユーザの顔に近づけられると、タッチパネル１６の表面において命令入力領域１２０外となる一端部がユーザの耳の一部や周囲によってタッチされることにより、その間、タッチ位置が命令入力領域１２０外の位置であると継続的に判別することができる。
【０２８４】
そして制御部３０は、通話モード時にタッチパネル１６の表面においてタッチ位置が命令入力領域１２０外の位置であると継続的に判別している間は、ユーザにより例えば情報通信端末１０が顔に押し付けられ、タッチパネル１６の表面において命令入力領域１２０内が顔のほおによって追加でタッチされても、当該顔のほおによるタッチ位置を命令入力領域１２０外の位置であると強制的に判別して、命令の入力を無効化することができる。
【０２８５】
またタッチパネル１６は、上述のように端末長手方向に沿って比較的長く形成され、かつ一端が端末筐体１１の一端側に張り出している。
【０２８６】
従って、情報通信端末１０は、例えば、ユーザにより手のひらの人差し指側をマイクロホン２４側に位置させ、かつ小指側をスピーカ２３側に位置させるようにして当該手のひらでタッチパネル１６を覆うように把持された状態で持ち上げられた場合、手のひらの小指側によりタッチパネル１６の一端側（すなわち、スピーカ２３側）をタッチさせ易くしている。
【０２８７】
そして制御部３０は、通話モード時、情報通信端末１０がユーザの手によって把持された状態で持ち上げられた場合、タッチパネル１６の表面において命令入力領域１２０外となる一端部がユーザの手のひらの小指側によりタッチされると、その間、タッチ位置が命令入力領域１２０外の位置であると継続的に判別することができる。
【０２８８】
また制御部３０は、通話モード時に情報通信端末１０がユーザの手によって把持された状態で持ち上げられタッチパネル１６の表面が手のひらでタッチされても、その際、タッチ位置が命令入力領域１２０外の位置であると継続的に判別していると、タッチパネル１６の表面において命令入力領域１２０内がユーザの手のひらの人差し指側により追加でタッチされても、当該手のひらによる追加のタッチ位置を命令入力領域１２０外の位置であると強制的に判別して命令の入力を無効化することができる。
【０２８９】
なお、この実施の形態の場合、図１７に示すように、制御部３０は、通話モード時にタッチパネル１６の表面における命令入力領域１２０外のタッチに応じて命令の入力を無効化している間、例えば、表示部１５の表示面１５Ａに表示している通話通知画面８５等のような通話時表示画面において終話アイコン８７や保留アイコン８８、集音一時停止アイコン８９のような画面内の全ての通話時表示アイコンを消去する。
【０２９０】
これにより制御部３０は、通話モード時にタッチパネル１６の表面における命令入力領域１２０外のタッチに応じて命令の入力を無効化している間は、ユーザに対し通話時表示画面の表示内容により、タッチパネル１６の表面をタッチしても命令が誤って入力されることのないことを容易に認識させることができる。
【０２９１】
よって、制御部３０は、通話モード時にタッチパネル１６の表面における命令入力領域１２０外のタッチに応じて命令の入力を無効化している間は、ユーザに対し通話時表示画面の表示内容により、誤操作の可能性を何ら気にさせずに情報通信端末１０を手で持ち上げさせる等のように取り扱わせることができる。
【０２９２】
これに加えて、コネクタジャック２７は、上述したようにヘッドセットが接続されると、当該ヘッドセットが接続されたことを検出して制御部３０に通知すると共に、そのヘッドセットが外されたときにも、これを検出して制御部３０に通知する。
【０２９３】
そして、制御部３０は、通話モード時にコネクタジャック２７からヘッドセットの接続が通知されると、この後、ヘッドセットの外されたことが通知されるまでの間、タッチパネル１６の動作を停止させ、表面がタッチされてもこれを検知し得ないようにする。
【０２９４】
これにより制御部３０は、通話モード時にヘッドセットが使用されると、情報通信端末１０自体が鞄や衣服のポケットの中に入れられることが多いものの、その鞄やポケットの中でタッチパネルの表面が鞄内の書類やポケットの生地等によってタッチされて誤操作されることを防止することができる。
【０２９５】
次いで、図１８に示すフローチャートを用いて、情報通信端末１０の制御部３０が通話モード時に実行する入力制御処理手順ＲＴ１について説明する。
【０２９６】
制御部３０は、通話モードに移行すると、表示部１５の表示面１５Ａに対する通話時表示画面の表示を開始すると共に、フラッシュメモリ３１に記憶された入力制御プログラムに従って図１８に示す入力制御処理手順ＲＴ１開始する。
【０２９７】
制御部３０は、かかる入力制御処理手順ＲＴ１を開始すると、ステップＳＰ１においてタッチパネル１６の表面がタッチされることを待ち受ける。
【０２９８】
そしてステップＳＰ１において制御部３０は、タッチパネル１６の表面がタッチされて当該タッチパネル１６からタッチ位置検出用データが与えられると、次のステップＳＰ２に移る。
【０２９９】
ステップＳＰ２において制御部３０は、タッチ位置検出用データに基づきタッチパネル１６の表面におけるタッチ位置を検出して、次のステップＳＰ３に移る。
【０３００】
ステップＳＰ３において制御部３０は、画面命令判別用テーブルを用いて、タッチパネル１６の表面におけるタッチ位置が命令入力領域１２０内の位置であるか否かを判別する。
【０３０１】
このステップＳＰ３において否定結果が得られると、このことはユーザにより情報通信端末１０が顔に近づけられてタッチパネル１６の表面において命令入力領域１２０内よりも先に命令入力領域１２０外が耳の一部や周囲によってタッチされ、又は情報通信端末１０が手で持ち上げられてタッチパネル１６の表面において命令入力領域１２０内よりも先に命令入力領域１２０外が手のひらによってタッチされたことを表している。
【０３０２】
そしてステップＳＰ３において制御部３０は、かかる否定結果を得ると、次のステップＳＰ４に移る。
【０３０３】
ステップＳＰ４において制御部３０は、タッチパネル１６の表面において命令入力領域１２０外が実際にタッチされたまま、さらに表面が追加でタッチされたときには、当該追加でタッチされたタッチ位置を命令入力領域１２０外の位置であると強制的に判別するようにタッチ位置判別条件を設定して、次のステップＳＰ５に移る。
【０３０４】
ステップＳＰ５において制御部３０は、タッチパネル１６の表面において命令入力領域１２０外が実際にタッチされたまま、さらに表面が追加でタッチされたか否かを判別する。
【０３０５】
このステップＳＰ５において肯定結果が得られると、このことはユーザによりタッチパネル１６の表面において命令入力領域１２０外が耳の一部や周囲又は手のひらによってタッチされたまま、さらに表面が顔のほお又は手のひら等によって追加でタッチされたことを表している。
【０３０６】
そしてステップＳＰ５において制御部３０は、かかる肯定結果を得ると、次のステップＳＰ６に移る。
【０３０７】
ステップＳＰ６において制御部３０は、このときタッチパネル１６から追加で与えられたタッチ位置検出用データに基づき当該タッチパネル１６の表面における追加のタッチ位置を検出して、次のステップＳＰ７に移る。
【０３０８】
ステップＳＰ７において制御部３０は、タッチパネル１６の表面における追加のタッチに応じて検出したタッチ位置をタッチ位置判別条件に従い命令入力領域１２０外の位置であると強制的に判別して、次のステップＳＰ８に移る。
【０３０９】
ステップＳＰ８において制御部３０は、タッチパネル１６の表面における先のタッチが解除されたか否かを判別する。
【０３１０】
このステップＳＰ８において否定結果が得られると、このことはタッチパネル１６の表面において命令入力領域１２０外が未だ実際にタッチされ続けていることを表している。そしてステップＳＰ８において制御部３０は、かかる否定結果を得ると、ステップＳＰ５に戻る。
【０３１１】
ところで、制御部３０は、このようにステップＳＰ８からステップＳＰ５に戻ると、再びタッチパネル１６の表面において命令入力領域１２０外が実際にタッチされたまま、さらに表面が追加でタッチされたか否かを判別する。
【０３１２】
ただし制御部３０は、このようにステップＳＰ８からステップＳＰ５に戻ったときに、前回のステップＳＰ５において判別したタッチパネル１６の表面における追加のタッチが継続されていると、肯定結果を得て、次のステップＳＰ６に移る。
【０３１３】
またステップＳＰ５において否定結果が得られると、このことはユーザによりタッチパネル１６の表面において命令入力領域１２０外のみが耳の一部や周囲又は手のひらによってタッチされ続け、当該表面が追加では全くタッチされてはいない、又はユーザによりタッチパネル１６の表面において命令入力領域１２０外が耳の一部や周囲又は手のひらによってタッチされたまま、一旦は表面が顔のほお又は手のひら等によって追加でタッチされたものの、かかる追加のタッチだけがすでに解除されていることを表している。
【０３１４】
そしてステップＳＰ５において制御部３０は、かかる否定結果を得ると、ステップＳＰ６及びステップＳＰ７の処理を飛ばしてステップＳＰ８に移る。
【０３１５】
このようにして制御部３０は、ステップＳＰ８において肯定結果を得るまでの間、ステップＳＰ５乃至ステップＳＰ８の処理を循環的に繰り返し実行する。
【０３１６】
そしてステップＳＰ８において肯定結果が得られると、このことはタッチパネル１６の表面における命令入力領域１２０外の、耳の一部や周囲又は手のひらによる先のタッチが解除された（すなわち、離された）ことを表している。
【０３１７】
そしてステップＳＰ８において制御部３０は、かかる肯定結果を得ると、次のステップＳＰ９に移る。
【０３１８】
ステップＳＰ９において制御部３０は、上述のステップＳＰ４において設定していたタッチ位置判別条件を解除するか否かを判別する。
【０３１９】
このステップＳＰ９において肯定結果が得られると、このことはタッチパネル１６の表面における追加のタッチがすでに解除されていた状態で、命令入力領域１２０外の先のタッチも解除されたことを表している。
【０３２０】
そしてステップＳＰ９において制御部３０は、かかる肯定結果を得ると、次のステップＳＰ１０に移る。
【０３２１】
ステップＳＰ１０において制御部３０は、上述のステップＳＰ４で設定していたタッチ位置判別条件の設定を解除して、次のステップＳＰ１１に移る。
【０３２２】
ところで、ステップＳＰ９において否定結果が得られると、このことはタッチパネル１６の表面における追加のタッチが未だ継続されたまま、命令入力領域１２０外の先のタッチが解除されたことを表している。
【０３２３】
そしてステップＳＰ９において制御部３０は、かかる否定結果を得ると、ステップＳＰ１２に移る。
【０３２４】
ステップＳＰ１２において制御部３０は、上述のステップＳＰ４で設定していたタッチ位置判別条件の設定の解除を、タッチパネル１６の表面における追加のタッチの解除時点に合わせるように延長して、ステップＳＰ１１に移る。
【０３２５】
ステップＳＰ１１において制御部３０は、通話モードを終了するか否かを判別する。このステップＳＰ１１において否定結果が得られると、このことは例えば、ユーザと相手とが未だ通話中であることを表している。
【０３２６】
そしてステップＳＰ１１において制御部３０は、かかる否定結果を得ると、ステップＳＰ１に戻る。
【０３２７】
ここで、制御部３０は、上述したステップＳＰ９及びステップＳＰ１０の処理を順次実行したうえでステップＳＰ１に戻ると、その時点にはタッチパネル１６の表面が何らタッチされてはいないことにより、上述した場合と同様にステップＳＰ１においてタッチパネル１６の表面が何もタッチされてはいない状態から新たに１箇所のみタッチされることを待ち受け、引き続きステップＳＰ２以降の処理を順次実行する。
【０３２８】
これに対して制御部３０は、上述したステップＳＰ９及びステップＳＰ１２の処理を順次実行したうえでステップＳＰ１に戻ると、その時点にはタッチパネル１６の表面において１箇所がタッチ（すなわち、上述のステップＳＰ５において検出した追加のタッチ）されていることにより、ステップＳＰ１においてタッチパネル１６の表面がさらに追加でタッチされることを待ち受ける。
【０３２９】
この際、ステップＳＰ１において制御部３０は、タッチパネル１６の表面がさらに追加でタッチされる前に、上述のステップＳＰ５において検出していた追加のタッチが解除されると、これに合わせてタッチ位置判別条件の設定も解除する。
【０３３０】
従って、制御部３０は、このような場合、ステップＳＰ１において改めてタッチパネル１６の表面が何もタッチされてはいない状態から新たに１箇所のみタッチされることを待ち受け、引き続きステップＳＰ２以降の処理を順次実行する。
【０３３１】
一方、ステップＳＰ１において制御部３０は、タッチパネル１６の表面において上述のステップＳＰ５で検出していた追加のタッチが解除されないまま、当該表面がさらに追加でタッチされ、タッチパネル１６から表面のさらなるタッチに応じたタッチ位置検出用データが与えられると、次のステップＳＰ２に移る。
【０３３２】
そしてステップＳＰ２において制御部３０は、タッチ位置検出用データに基づきタッチパネル１６の表面のさらなるタッチのタッチ位置を検出して、次のステップＳＰ３に移る。
【０３３３】
ところで制御部３０は、ステップＳＰ２の処理の実行開始時点からステップＳＰ３の処理の実行開始時点までの間に、タッチパネル１６の表面において上述のステップＳＰ５で検出していた追加のタッチが解除されていると、これに応じてタッチ位置判別条件の設定も解除したうえで、当該ステップＳＰ３の処理を上述した場合と同様に画面命令判別用テーブルを用いて実行する。
【０３３４】
ただしステップＳＰ３において制御部３０は、当該ステップＳＰ３の処理の実行開始時点でも、タッチパネル１６の表面において上述のステップＳＰ５において検出していた追加のタッチが解除されないままであると、未だタッチ位置判別条件を設定したままであるため、そのタッチ位置判別条件に従い、さらなるタッチに応じて検出したタッチ位置を命令入力領域１２０外の位置であると強制的に判別する。
【０３３５】
従ってステップＳＰ３において制御部３０は、かかる強制的な判別に応じて否定結果を得てステップＳＰ４に移る。
【０３３６】
そしてステップＳＰ４において制御部３０は、上述のステップＳＰ５において検出していた追加のタッチの解除の有無にかかわらずに、タッチ位置判別条件の設定を継続するように設定し直して、ステップＳＰ５に移る。このようにして制御部３０は、この後、ステップＳＰ５以降の処理を上述と同様に順次実行する。
【０３３７】
ところで上述のステップＳＰ３において肯定結果が得られると、このことはタッチパネル１６の表面が何らタッチされてはいない状態でステップＳＰ１においてタッチされることを待ち受けていたところ、ユーザによりタッチパネル１６の表面において命令入力領域１２０内のみがタッチされた、すなわち、ユーザにより命令を入力するために命令入力領域１２０内のみが意図してタッチされたことを表している。
【０３３８】
そしてステップＳＰ３において制御部３０は、かかる肯定結果を得ると、ステップＳＰ１３に移る。
【０３３９】
ステップＳＰ１３において制御部３０は、タッチ位置を含む命令入力領域１２０に応じて、ユーザにより入力された命令を判別して、ステップＳＰ１１に移る。
【０３４０】
このようにして制御部３０は、通話モード時、ステップＳＰ１乃至ステップＳＰ１３の処理を順次繰り返し実行することにより、ユーザにより情報通信端末１０が顔に近づけられているとき、また手で持たれているときにはユーザの意図しない命令がタッチパネル１６を介して誤って入力されるような誤操作を回避しつつ、ユーザにより情報通信端末１０が顔から離され、またタッチパネル１６の表面から手のひらが離されて命令の入力が要望されたときには、そのタッチパネル１６を介して所望の命令を的確に入力させることができる。
【０３４１】
そしてステップＳＰ１１において肯定結果を得ると、このことはユーザと相手との通話が終了して通話モードを終了させることを表している。従ってステップＳＰ１１において制御部３０は、かかる肯定結果を得ると、次のステップＳＰ１４に移り、入力制御処理手順ＲＴ１を終了する。
【０３４２】
（２−５）実施の形態の動作及び効果
以上の構成において、情報通信端末１０は、通話モード時、表示部１５の表示面１５Ａに対し、通話時表示アイコンを有する通話時表示画面を表示する。
【０３４３】
そして情報通信端末１０は、通話モード時、表示部１５の表示面１５Ａを覆うように設けられたタッチパネル１６の表面において命令入力領域１２０外がタッチされると（ステップＳＰ１乃至ステップＳＰ３）、当該命令入力領域１２０外がタッチされている間は、その命令入力領域１２０内がタッチされても命令の入力を無効化する（ステップＳＰ４乃至ステップＳＰ８）。
【０３４４】
ただし、情報通信端末１０は、通話モード時、タッチパネル１６の表面において命令入力領域１２０外が何らタッチされることなく、当該命令入力領域１２０内のみが単独でタッチされると、そのタッチに応じて命令を入力させる（ステップＳＰ１３）。
【０３４５】
従って、情報通信端末１０は、通話モード時、手で持たれるときや顔に近づけられるときに、タッチパネル１６のタッチによる命令の入力を無効化するための特別な操作を何ら行わせることなく、着信に応じてタッチパネル１６の表面を手のひらで覆うようにしてユーザによって持たれたときや、通話のためにタッチパネル１６の表面がユーザの顔に近づけられたときに、そのタッチパネル１６の命令入力領域１２０外を手のひらや耳の周囲等でタッチさせるだけで、命令入力領域１２０内が手のひらや顔のほお等でタッチされても、ユーザの意図しない命令が入力されることを回避することができる。
【０３４６】
以上の構成によれば、情報通信端末１０は、通話モード時、タッチパネル１６の表面の命令入力領域１２０外がタッチされている間に当該命令入力領域１２０内がタッチされると、その命令入力領域１２０内のタッチによる命令の入力を無効化するようにした。
【０３４７】
これにより情報通信端末１０は、通話モード時、タッチパネル１６の命令入力領域１２０外が手のひらや耳の周囲等でタッチされていると、そのタッチが継続されている間は命令入力領域１２０内が手のひらや顔のほお等でタッチされても、ユーザの意図しない命令が入力されることを回避することができる。よって情報通信端末１０は、通話モード時に誤操作を回避することができる。
【０３４８】
また情報通信端末１０は、タッチパネル１６のパネル長手方向に沿った一端の外側で、かつ当該一端の近傍にスピーカ２３が配置されると共に、パネル長手方向に沿った他端の外側で当該他端の近傍にマイクロホン２４が配置され、さらに通話モード時に表示部１５の表示面１５Ａに表示する通話時表示画面において、通話時表示アイコンをスピーカ２３から極力離間し、かつマイクロホン２４に極力近接して配置するようにした。
【０３４９】
従って、情報通信端末１０は、通話モード時、スピーカ２３がユーザの耳に近づけられ、かつマイクロホン２４がユーザの口もとに近づけられると、タッチパネル１６の表面において命令入力領域１２０外をユーザの耳の周囲等で継続的にタッチさせることができると共に、命令入力領域１２０内についてはユーザの顔のほお等をタッチさせ難くすることができる。
【０３５０】
よって、情報通信端末１０は、通話モード時、ユーザが命令の入力を望むときには何時でもタッチパネル１６の命令入力領域１２０内をタッチすれば、命令を入力し得るものの、ユーザが通話のために情報通信端末１０を顔に近づけるときには誤操作を回避するように気遣わせることなく、また命令の入力を無効化するための操作を何ら行わせることもなく、単に顔に近づけさせるだけで、タッチパネル１６の表面の命令入力領域１２０外をユーザの耳の周囲等で継続的にタッチさせて、その継続的なタッチにより、命令入力領域１２０内が顔のほお等で追加でタッチされても命令が何ら入力されないようにすることができる。
【０３５１】
さらに情報通信端末１０は、タッチパネル１６のパネル長手方向に沿った一端を円弧状に形成し、当該円弧状の一端において端末筐体１１の一端側に最も張り出している頂点近傍にスピーカ２３を配置するようにした。
【０３５２】
従って情報通信端末１０は、通話モード時にユーザの顔に近づけられた場合、タッチパネル１６の表面においてスピーカ２３側の命令入力領域１２０外にユーザの耳の周囲等をほぼ確実にタッチさせることができる。
【０３５３】
さらに情報通信端末１０は、このように端末筐体１１を端末長手方向に沿って比較的長く形成し、タッチパネル１６のパネル長手方向に沿った一端を端末筐体１１の一端側に張り出させている。
【０３５４】
このため、情報通信端末１０は、ユーザにより手のひらでタッチパネル１６を覆うように把持された状態で持ち上げられた場合、手のひらの例えば小指側によりタッチパネル１６の一端側（すなわち、スピーカ２３側）をタッチさせ易くしている。
【０３５５】
よって、情報通信端末１０は、通話モード時にユーザの手により把持されて持ち上げられた場合、タッチパネル１６の表面において命令入力領域１２０外をユーザの手のひらの一部でタッチされた状態として、その結果、命令入力領域１２０内が追加でタッチされても命令の入力を無効化することができる。
【０３５６】
実際に情報通信端末１０は、通話モード時、タッチパネル１６の表面において命令入力領域１２０外がタッチされると、当該表面が追加でタッチされたときに、その追加でタッチされたタッチ位置を実際の位置にかかわらずに命令入力領域１２０外の位置であると強制的に判別するようなタッチ位置判別条件を設定するようにした。
【０３５７】
従って、情報通信端末１０は、通話モード時、タッチパネル１６の表面において命令入力領域１２０外の１箇所がタッチされている間は、当該表面の命令入力領域１２０内が追加でタッチされても、当該表面の命令入力領域１２０内のタッチによる命令の入力を判別しないようにして的確に無効化することができる。
【０３５８】
さらに情報通信端末１０は、通話モード時、タッチパネル１６の表面における命令入力領域１２０外のタッチに応じてタッチ位置判別条件を設定し、追加でタッチされたタッチ位置を、そのタッチ位置判別条件に従い命令入力領域１２０外の位置であると強制的に判別している状態で、命令入力領域１２０外の最初のタッチが解除された時点には、タッチ位置判別条件の設定の解除を見送って、その追加のタッチが解除された時点にタッチ位置判別条件の設定を解除するようにした。
【０３５９】
従って、情報通信端末１０は、通話モード時、タッチパネル１６の表面における命令入力領域１２０外のタッチに応じてタッチ位置判別条件を設定し、追加でタッチされたタッチ位置を命令入力領域１２０内の位置であるにもかかわずにタッチ位置判別条件に従い命令入力領域１２０外の位置であると強制的に判別している状態で、命令入力領域１２０外の最初のタッチが解除されても、その時点に命令入力領域１２０外の位置であると強制的に判別していたタッチ位置を命令入力領域１２０内の位置であると判別し直して命令が入力されることを確実に防止することができる。
【０３６０】
（３）他の実施の形態
なお上述した実施の形態においては、通話モードに表示する通話時表示画面内に通話時表示アイコンを配置するようにした場合について述べたが、本発明はこれに限らず、端末筐体１１の他端側パネル被覆部分１３Ｃに通話時表示アイコンをボタンとして描いて、タッチパネル１６の表面において、そのボタンと対向する領域を命令入力領域とし、通話モード時にタッチパネル１６の表面の命令入力領域１２０外がタッチされている間は、その命令入力領域１２０内が追加でタッチされても命令の入力を無効化するようにしても良い。
【０３６１】
かかる構成によれば、タッチパネル１６の表面において命令入力領域を上述した実施の形態よりも、さらにマイクロホン２４側に位置させることができ、ユーザの顔のほお等によって、よりタッチされ難くすることができる。
【０３６２】
また上述した実施の形態においては、タッチパネル１６をレーストラック形状に形成するようにした場合について述べたが、本発明はこれに限らず、図１９に示すように、タッチパネル１２５を長方形状に形成するようにしても良い。
【０３６３】
かかる構成によれば、タッチパネルのパネル長手方向に沿った一端の隅部１２５Ａ及び１２５Ｂが端末筐体１２６の側面近傍まで張り出すことにより、情報通信端末１２７が通話モード時にユーザの顔に近づけられた場合、当該タッチパネル１２５の表面の一端部にユーザの耳たぶや外耳部分までをもタッチさせ易くすることができる。
【０３６４】
また、かかる構成によれば、情報通信端末１２７が通話モード時にユーザの手によって把持されて持ち上げられた場合、当該タッチパネル１２５の表面の一端部にユーザの手のひらにおいて小指の付け根分等をタッチさせ易くすることもできる。
【０３６５】
さらに上述した実施の形態においては、制御部３０が通話モード時にタッチパネル１６の表面において命令入力領域１２０外がタッチされている間、タッチ位置判別条件を設定して命令の入力を無効化するようにした場合について述べたが、本発明はこれに限らず、制御部３０が通話モード時にタッチパネル１６の表面において命令入力領域１２０外がタッチされている間、当該表面が追加でタッチされタッチパネル１６からタッチ位置検出用データが与えられても、そのタッチ位置検出用データに基づき、追加でタッチされたタッチ位置を検出しないようにしても良い。かかる構成によっても上述した実施の形態と同様の効果を得ることができる。
【０３６６】
さらに上述した実施の形態においては、制御部３０が通話モード時にタッチパネル１６の表面において命令入力領域１２０外がタッチされている間、タッチ位置判別条件を設定することで、当該表面において命令入力領域１２０内が追加でタッチされても、そのタッチ位置を命令入力領域１２０外の位置であると判別するようにした場合について述べたが、本発明はこれに限らず、制御部３０が通話モード時にタッチパネル１６の表面において命令入力領域１２０外がタッチされている間、タッチ位置判別条件は設定せずに当該表面において命令入力領域１２０内が追加でタッチされると、そのタッチ位置を命令入力領域１２０内の位置であると判別するものの、当該追加のタッチにより入力された命令を判別しないようにし、又は入力された命令を判別しても、当該判別した命令に応じた処理を実行しないようにしても良い。かかる構成によっても上述した実施の形態と同様の効果を得ることができる。
【０３６７】
さらに上述した実施の形態においては、制御部３０が、通話モード時にタッチパネル１６の表面において命令入力領域１２０外がタッチされている間、通話時表示画面内の通話時表示アイコンを消去するようにした場合について述べたが、本発明はこれに限らず、制御部３０が通話モード時にタッチパネル１６の表面において命令入力領域１２０外がタッチされている間、図２０に示すように、通話時表示画面１３０内の通話時表示アイコン１３１を輝度及び又は明度を通常よりも下げる等して本来の表示状態とは異なる表示状態で表示し、又は図２１に示すように、通話時表示画面１３３において通話時表示アイコンの配置領域１３４を例えば、背景とは異なる黒色等で塗りつぶすようにして表示状態を変更するようにしても良い。
【０３６８】
さらに上述した実施の形態においては、例えば、通話通知画面８５内に終話アイコン８７、保留アイコン８８及び集音一時停止アイコン８９を配置するようにした場合について述べたが、本発明はこれに限らず、通話通知画面８５内に終話アイコン８７、保留アイコン８８及び集音一時停止アイコン８９のうち少なくとも何れか１の通話時表示アイコンを配置し、又は、これら終話アイコン８７、保留アイコン８８及び集音一時停止アイコン８９を含む又は異なる１以上の複数の通話時表示アイコンを配置するようにしても良い。
【０３６９】
そして、かかる構成については、１又は複数の通話時表示アイコンが配置された他の発呼通知画面８０や、着呼通知画面９５、通話通知画面１０５等の通話時表示画面についても同様に適用することができる。
【０３７０】
さらに上述した実施の形態においては、タッチパネル１６の表面における命令入力領域１２０を通話時表示アイコンと同じ形状及び同じ大きさとするようにした場合について述べたが、本発明はこれに限らず、図２２に示すように、タッチパネル１４０の表面における命令入力領域１４１を通話時表示アイコンよりも大きくするようにしても良い。
【０３７１】
かかる構成によれば、実際にタッチパネル１４０をタッチして命令を入力する際に、命令入力領域１４１が大きい分、指等のように比較的太いものでタッチしてもほぼ確実に命令を入力させることができる。
【０３７２】
さらに上述した実施の形態においては、通話モード時にタッチパネル１６の表面において命令入力領域１２０内の１箇所をタッチさせて命令を入力させるようにした場合について述べたが、本発明はこれに限らず、通話モード時にタッチパネル１６の表面において命令入力領域１２０内を指等でタッチしたままそのタッチ位置をパネル長手方向又はパネル短手方向等へ移動させて（すなわち、タッチしている指等をタッチパネル１６の表面を擦るように移動させて）命令を入力させるようにしても良い。
【０３７３】
かかる構成によれば、タッチパネル１６を使用した命令の入力操作が命令入力領域１２０内の単なるタッチではなく、タッチしたままタッチ位置を移動させるような操作であるため、情報通信端末１０がユーザの顔に近づけられ、また手のひらで把持するように待ち上げられたときに、命令入力領域１２０内が顔のほおや手のひら等でタッチされても命令を入力させ難くすることができる。
【０３７４】
そしてかかる構成では、通話モード時にタッチパネル１６の表面において命令入力領域１２０外がタッチされている間、命令入力領域１２０内をタッチしたままタッチ位置を移動させるような操作を受け付けない（すなわち、移動するタッチ位置を検出しない、又は移動するタッチ位置を検出しても命令を判別しない等）ようにすることで、情報通信端末１０がユーザの顔に近づけられ、また手のひらで把持するように待ち上げられたときに、命令入力領域１２０内が顔のほおや手のひら等にタッチされても命令の入力をほぼ確実に無効化することができる。
【０３７５】
ところで、かかる構成の場合、図２３（Ａ）及び（Ｂ）に示すように、通話モード時に表示部１５の表示面１５Ａに表示する通話時表示画面１５０において、複数の通話時表示アイコン１５１及び１５２のうち少なくとも１つの通話時表示アイコン１５１を固定的に配置し、他の通話時表示アイコン１５２を、タッチパネル１６の命令入力領域をタッチしたままタッチ位置を移動させるような操作に応じて移動可能なように配置する（すなわち、描画の位置等の状態を変更可能なように設ける）と、ユーザに対し命令入力領域をタッチしたままタッチ位置を移動させるように操作されたときに、その操作に応じて命令が入力されているか否かを的確に確認させることができる。
【０３７６】
さらに上述した実施の形態においては、本発明による通信装置を、図１乃至図２３について上述した第１の通信装置１、第２の通信装置５、情報通信端末１０及び１２７に適用するようにした場合について述べたが、本発明はこれに限らず、携帯電話機や通信機能を有するＰＤＡ（Personal Digital Assistance ）等の携帯型の情報処理装置（すなわち、情報処理端末）、トランシーバ等のように、この他種々の構成の通信装置に広く適用することができる。
【０３７７】
さらに上述した実施の形態においては、本発明による入力制御プログラムを、図１乃至図２３について上述した情報通信端末１０のフラッシュメモリ３１に記憶された入力制御プログラムに適用し、情報通信端末１０の制御部３０が、その入力制御プログラムに従って図１７について上述した入力制御処理手順ＲＴ１を実行するようにした場合について述べたが、本発明はこれに限らず、情報通信端末１０が入力制御プログラムが記録された情報処理装置読取可能な記録媒体によって入力制御プログラムをインストールして、制御部３０が、そのインストールした入力制御プログラムに従って図１７について上述した入力制御処理手順ＲＴ１を実行するようにしても良い。
【０３７８】
さらに情報通信端末１０では、ローカルエリアネットワークやインターネット、デジタル衛星放送等の有線及び無線通信媒体を利用して外部から入力制御プログラムをインストールするようにしても良い。
【０３７９】
そして入力制御プログラムを情報通信端末１０にインストールして実行可能な状態にするための情報処理装置読取可能な記録媒体としては、例えばフレキシブルディスクのようなパッケージメディアで実現しても良い。
【０３８０】
また入力制御プログラムを情報通信端末１０にインストールして実行可能な状態にするための情報処理装置読取可能な記録媒体としては、ＣＤ−ＲＯＭ（Compact  Disc-Read  Only  Memory）のようなパッケージメディアで実現しても良い。
【０３８１】
さらに入力制御プログラムを情報通信端末１０にインストールして実行可能な状態にするための情報処理装置読取可能な記録媒体としては、ＤＶＤ（Digital  Versatile  Disc）等のパッケージメディアで実現しても良い。
【０３８２】
さらに、かかる情報処理装置読取可能な記録媒体としては、パッケージメディアのみならず、各種プログラムが一時的もしくは永続的に記録される半導体メモリや磁気ディスク等で実現しても良い。
【０３８３】
また、これら情報処理装置読取可能な記録媒体に入力制御プログラムを記録する手段としては、ローカルエリアネットワークやインターネット、デジタル衛星放送等の有線及び無線通信媒体を利用しても良い。
【０３８４】
さらに情報処理装置読取可能な記録媒体に入力制御プログラムを記録する手段としては、ルータやモデム等の各種通信インタフェースを介して記録するようにしても良い。
【０３８５】
さらに上述した実施の形態においては、一方向よりも当該一方向と直交する他方向に長く形成された表面をタッチして命令を入力するために用いられ、表面の１箇所がタッチされると、当該１箇所のタッチ位置を検出するためのタッチ位置検出用データを出力し、表面の１箇所がタッチされている間に他の箇所がタッチされても、当該他の箇所のタッチ位置を検出するためのタッチ位置検出用データを出力しないタッチパネルとして、図１について上述した第１の通信装置１のタッチパネル２を適用するようにした場合について述べたが、本発明はこれに限らず、１箇所のタッチ位置のみを検出するための抵抗膜方式のタッチパネルや静電容量方式のタッチパネル、感圧方式のタッチパネル、圧力センサタイプのタッチパネル、マトリクススイッチタイプのタッチパネル等のように、この他種々のタッチパネルを広く適用することができる。
【０３８６】
ところで、本発明では、１箇所のタッチ位置のみを検出するための例えば、抵抗膜方式のタッチパネルを用いた場合、通話モード時に当該タッチパネルの表面において命令入力領域外がタッチされている間は、その表面が追加でタッチされても、タッチパネル自体が追加のタッチに応じたタッチ位置検出用データを何ら出力しないため、制御部は、上述した実施の形態に比して通話モード時に命令の入力を無効化するための処理を何ら行う必要がなく、処理負荷を大幅に低減させることができる。
【０３８７】
さらに上述した実施の形態においては、一方向よりも当該一方向と直交する他方向に長く形成された表面をタッチして命令を入力するために用いられ、表面の１箇所がタッチされると、当該１箇所のタッチ位置を検出するためのタッチ位置検出用データを出力し、表面の１箇所がタッチされている間に他の箇所がタッチされても、当該他の箇所のタッチ位置を検出するためのタッチ位置検出用データを出力しないタッチパネルの表面の他方向に沿った他端寄りの少なくとも一部の命令入力領域として、図１乃至図２３について上述したタッチパネル２及び１６の長方形状の命令入力領域２Ａ及び１２０を適用するようにした場合について述べたが、本発明はこれに限らず、例えば、通話時表示画面内の通話時表示アイコンの形状を上述した長方形状とは異なる円形状や楕円形状、正方形状等の形状にし、その通話時表示アイコンの形状に合せて円形状や楕円形状、正方形状等の命令入力領域等のように、この他種々の形状の命令入力領域を広く適用することができる。
【０３８８】
さらに上述した実施の形態においては、表面の一部を命令入力用の命令入力領域として、表面の命令入力領域内をタッチして命令を入力するために用いられ、表面の少なくとも２箇所がタッチされると、当該少なくとも２箇所のタッチ位置それぞれを検出するためのタッチ位置検出用データを出力するタッチパネルとして、図２乃至図２３について上述した第２の通信装置５のタッチパネル６や、２箇所のタッチ位置を検出するための静電容量方式のタッチパネル１６を適用するようにした場合について述べたが、本発明はこれに限らず、少なくとも２箇所のタッチ位置を検出するための抵抗膜方式、静電容量方式、感圧方式、圧力センサタイプ、マトリクススイッチタイプのタッチパネル等のように、この他種々のタッチパネルを広く適用することができる。
【０３８９】
さらに上述した実施の形態においては、表面の少なくとも２箇所がタッチされると、当該少なくとも２箇所のタッチ位置それぞれを検出するためのタッチ位置検出用データを出力するタッチパネルの表面の一部の命令入力領域として、図２乃至図２３について上述したタッチパネル１６の長方形状の命令入力領域１２０を適用するようにした場合について述べたが、本発明はこれに限らず、例えば、通話時表示画面内の通話時表示アイコンの形状を上述した長方形状とは異なる円形状や楕円形状、正方形状等の形状にし、その通話時表示アイコンの形状に合せて円形状や楕円形状、正方形状等の命令入力領域等のように、この他種々の形状の命令入力領域を広く適用することができる。
【０３９０】
さらに上述した実施の形態においては、通話モード時、タッチパネルの表面の命令入力領域外がタッチされている間に命令入力領域内がタッチされると、タッチパネルから表面の命令入力領域外のタッチに応じて出力されるタッチ位置検出用データに基づき、タッチパネルの表面の命令入力領域外がタッチされている間の命令入力領域内のタッチによる命令の入力を無効化する命令無効化部として、図２乃至図２３について上述した第２の通信装置５の命令無効化部７や、情報通信端末１０の制御部３０を適用するようにした場合について述べたが、本発明はこれに限らず、通話モード時、タッチパネルの表面の命令入力領域外がタッチされている間に命令入力領域内がタッチされると、タッチパネルから表面の命令入力領域外のタッチに応じて出力されるタッチ位置検出用データに基づき、タッチパネルの表面の命令入力領域外がタッチされている間の命令入力領域内のタッチによる命令の入力を無効化するハードウェア回路構成の命令無効化回路等のように、この他種々の命令無効化部を広く適用することができる。
【０３９１】
さらに上述した実施の形態においては、タッチパネルから表面へのタッチに応じて与えられたタッチ位置検出用データに基づき表面のタッチ位置を検出する位置検出部として、図３乃至図２３について上述した情報通信端末１０の制御部３０を適用するようにした場合について述べたが、本発明はこれに限らず、タッチパネルから表面へのタッチに応じて与えられたタッチ位置検出用データに基づき表面のタッチ位置を検出するハードウェア回路構成の位置検出回路等のように、この他種々の位置検出部を広く適用することができる。
【０３９２】
さらに上述した実施の形態においては、表示部の表示面に表示された表示子と対向するタッチパネルの表面の命令入力領域の位置と、位置検出部により検出されたタッチ位置とに基づき、当該タッチ位置が命令入力領域内の位置であるか否かを判別し、タッチ位置が命令入力領域内の位置であると判別すると、当該タッチ位置を含む命令入力領域と対向する表示子が示す命令を、タッチパネルの表面の命令入力領域内のタッチにより入力された命令と判別する命令判別部として、図３乃至図２３について上述した情報通信端末１０の制御部３０を適用するようにした場合について述べたが、本発明はこれに限らず、表示部の表示面に表示された表示子と対向するタッチパネルの表面の命令入力領域の位置と、位置検出部により検出されたタッチ位置とに基づき、当該タッチ位置が命令入力領域内の位置であるか否かを判別し、タッチ位置が命令入力領域内の位置であると判別すると、当該タッチ位置を含む命令入力領域と対向する表示子が示す命令を、タッチパネルの表面の命令入力領域内のタッチにより入力された命令と判別するハードウェア回路構成の命令判別回路等のように、この他種々の命令判別部を広く適用することができる。
【０３９３】
さらに上述した実施の形態においては、命令判別部により判別された命令に応じた処理を実行する処理実行部として、図３乃至図２３について上述した情報通信端末１０の制御部３０を適用するようにした場合について述べたが、本発明はこれに限らず、命令判別部により判別された命令に応じた処理を実行するハードウェア回路構成の処理実行回路等のように、この他種々の処理実行部を広く適用することができる。
【０３９４】
さらに上述した実施の形態においては、音声の入出力機能を有するヘッドセットを接続可能な接続部として、図３乃至図２３について上述した情報通信端末１０のコネクタジャック２７を適用するようにした場合について述べたが、本発明はこれに限らず、音声の入出力機能を有するヘッドセットを接続可能なＵＳＢコネクタ等のように、この他種々の接続部を広く適用することができる。
【０３９５】
さらに上述した実施の形態においては、接続部に対するヘッドセットの接続の有無を検出する接続検出部として、図３乃至図２３について上述した情報通信端末１０のコネクタジャック２７を適用するようにした場合について述べたが、本発明はこれに限らず、接続部に対するヘッドセットの接続の有無を検出するハードウェア回路構成の接続検出回路等のように、この他種々の接続検出部を広く適用することができる。
【産業上の利用可能性】
【０３９６】
本発明は、他の装置と通話用に通信する通話モード時にタッチパネルを介した入力を制御して誤操作を防止する情報通信端末や、携帯電話機、ＰＤＡ等の通信装置に利用することができる。
【図面の簡単な説明】
【０３９７】
【図１】本発明による第１の通信装置の構成の概要を示すブロック図である。
【図２】本発明による第２の通信装置の構成の概要を示すブロック図である。
【図３】本実施の形態による携帯型の情報通信端末の外観構成を示す略線的斜視図である。
【図４】一端側パネル被覆部分及び他端側パネル被覆部分の構成を示す略線的上面図である。
【図５】上側筐体の側面の構成を示す略線的斜視図である。
【図６】情報通信端末の回路構成を示すブロック図である。
【図７】通信相手選択画面の構成（１）を示す略線図である。
【図８】通信相手選択画面の構成（２）を示す略線図である。
【図９】発呼通知画面の構成を示す略線図である。
【図１０】通話通知画面の構成を示す略線図である。
【図１１】終話通知画面の構成を示す略線図である。
【図１２】着呼通知画面の構成を示す略線図である。
【図１３】通話通知画面の構成を示す略線図である。
【図１４】終話通知画面の構成を示す略線図である。
【図１５】通話モード時のタッチパネルにおける命令入力領域の説明に供する略線図である。
【図１６】通話モード時の通話時表示画面における通話時表示アイコンの配置位置の説明に供する略線図である。
【図１７】通話モード時の命令無効化に応じた通話時表示アイコンの消去の説明に供する略線図である。
【図１８】入力制御処理手順を示すフローチャートである。
【図１９】他の実施の形態によるタッチパネルの構成を示す略線図である。
【図２０】他の実施の形態による通話モード時の命令無効化に応じた通話時表示アイコンの表示状態の変更の説明に供する略線図である。
【図２１】他の実施の形態による通話モード時の命令無効化に応じた通話時表示画面の表示状態の変更の説明に供する略線図である。
【図２２】他の実施の形態による命令入力領域の構成を示す略線図である。
【図２３】他の実施の形態による通話時表示アイコンの構成を示す略線図である。
【符号の説明】
【０３９８】
１……第１の通信装置、２、６、１６、１２５……タッチパネル、２Ａ、１２０、１４１……命令入力領域、３、２３……スピーカ、４、２４……マイクロホン、５……第２の通話装置、７……命令無効化部、１０、１２７……情報通信端末、１５……表示部、１５Ａ……表示面、２７……コネクタジャック、３０……制御部、３５……無線通信部、８０……発呼通知画面、８４、８７、１０７……終話アイコン、８５、１０５……通話通知画面、８８、１０８……保留アイコン、８９、１０９……集音一時停止アイコン、９０、１１０……終話通知画面、９２、１１２……表示終了アイコン、９５……着呼通知画面、９９……応答アイコン、１００……消音アイコン、１０１……通話拒否アイコン、１３０、１３３、１５０……通話時表示画面、１３１、１５１、１５２……通話時表示アイコン、ＲＴ１……入力制御処理手順。
【図１】
0004697551.tif 000002
【図２】
0004697551.tif 000003
【図３】
0004697551.tif 000004
【図４】
0004697551.tif 000005
【図５】
0004697551.tif 000006
【図６】
0004697551.tif 000007
【図７】
0004697551.tif 000008
【図８】
0004697551.tif 000009
【図９】
0004697551.tif 000010
【図１０】
0004697551.tif 000011
【図１１】
0004697551.tif 000012
【図１２】
0004697551.tif 000013
【図１３】
0004697551.tif 000014
【図１４】
0004697551.tif 000015
【図１５】
0004697551.tif 000016
【図１６】
0004697551.tif 000017
【図１７】
0004697551.tif 000018
【図１８】
0004697551.tif 000019
【図１９】
0004697551.tif 000020
【図２０】
0004697551.tif 000021
【図２１】
0004697551.tif 000022
【図２２】
0004697551.tif 000023
【図２３】
0004697551.tif 000024